(57)【要約】【課題】静電噴霧法によって複数箇所から原料液を噴霧して対象物に被膜を形成する場合に、対象物の表面全体に確実に被膜を形成する。【解決手段】成膜装置（10）では、対象物（20）と噴霧部（30）の一方が他方に対して相対的に移動する。噴霧部（30）では、第１噴霧ノズル（42）と第２噴霧ノズル（52）が、噴霧部（30）に対する対象物（20）の相対的な移動方向と交わる方向に交互に配置される。各噴霧ノズル（42,52）から原料液を噴霧すると、対象物（20）の表面に原料液が付着して被膜が形成される。また、第１噴霧ノズル（42）から噴霧された原料液の対象物（20）への付着位置と、第２噴霧ノズル（52）から噴霧された原料液の対象物（20）への付着位置とが、噴霧部（30）に対する対象物（20）の相対的な移動方向にずれている。【選択図】図７
2014117690.tif 000002
【特許請求の範囲】
【請求項１】
対象物（20）に原料液を噴霧することによって該対象物（20）の表面に被膜を形成する静電噴霧型の成膜装置であって、
複数の噴霧ノズル（42,52）を有する噴霧部（30）と、
上記原料液が帯電した液滴となって上記噴霧ノズル（42,52）から上記対象物（20）へ噴霧されるように上記噴霧ノズル（42,52）と上記対象物（20）の間に電圧を印加する電圧印加部（70）と、
上記対象物（20）と上記噴霧部（30）の一方を他方に対して相対的に移動させる移動機構（15）とを備え、
上記噴霧部（30）は、
第１の噴霧ノズル（42）と第２の噴霧ノズル（52）とが、上記噴霧部（30）に対する上記対象物（20）の相対的な移動方向と交わる方向に交互に配置され、
上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれている
ことを特徴とする成膜装置。
【請求項２】
請求項１において、
上記第１の噴霧ノズル（42）は、上記噴霧部（30）に対する上記対象物（20）の相対的な移動方向に向かって上記原料液を噴霧し、
上記第２の噴霧ノズル（52）は、上記噴霧部（30）に対する上記対象物（20）の相対的な移動方向とは逆向きに上記原料液を噴霧する
ことを特徴とする成膜装置。
【請求項３】
請求項２において、
上記第１の噴霧ノズル（42）は、該第１の噴霧ノズル（42）の軸心に対して傾斜した先端面（45）が上記噴霧部（30）に対する上記対象物（20）の相対的な移動方向の前側を向くように配置され、
上記第２の噴霧ノズル（52）は、該第２の噴霧ノズル（52）の軸心に対して傾斜した先端面（55）が上記噴霧部（30）に対する上記対象物（20）の相対的な移動方向の後側を向くように配置されている
ことを特徴とする成膜装置。
【請求項４】
請求項２又は３において、
上記噴霧部（30）に対する上記対象物（20）の相対的な移動方向における上記第１の噴霧ノズル（42）の先端の後側に配置され、該第１の噴霧ノズル（42）から噴霧される液滴と電位が同極性の第１の偏向用電極（60,61）と、
上記噴霧部（30）に対する上記対象物（20）の相対的な移動方向における上記第２の噴霧ノズル（52）の先端の前側に配置され、該第２の噴霧ノズル（52）から噴霧される液滴と電位が同極性の第２の偏向用電極（60,62）とを備えている
ことを特徴とする成膜装置。
【請求項５】
請求項２乃至４のいずれか一つにおいて、
上記対象物（20）が上記噴霧部（30）に相対的に近付いてくるときには、上記第２の噴霧ノズル（52）からの上記原料液の噴霧を開始した後に上記第１の噴霧ノズル（42）からの上記原料液の噴霧を開始し、
上記対象物（20）が上記噴霧部（30）から相対的に離れてゆくときには、上記第２の噴霧ノズル（52）からの上記原料液の噴霧を停止した後に上記第１の噴霧ノズル（42）からの上記原料液の噴霧を停止する
ことを特徴とする成膜装置。
【請求項６】
請求項１乃至５のいずれか一つにおいて、
上記第１の噴霧ノズル（42）の先端の位置と、上記第２の噴霧ノズル（52）の先端の位置とが、上記噴霧部（30）に対する上記対象物（20）の相対的な移動方向にずれている
ことを特徴とする成膜装置。
【請求項７】
請求項６において、
上記第１の噴霧ノズル（42）と上記第２の噴霧ノズル（52）の間を遮蔽する遮蔽部材（69）を備えている
ことを特徴とする成膜装置。
【請求項８】
請求項７において、
上記遮蔽部材（69）には、該遮蔽部材（69）の電位が上記噴霧ノズル（42,52）から噴霧された液滴の電位と同極性となるように電圧が印加される
ことを特徴とする成膜装置。
【請求項９】
請求項１乃至８のいずれか一つにおいて、
上記噴霧部（30）は、
全ての上記第１の噴霧ノズル（42）に接続して各第１の噴霧ノズル（42）に上記原料液を分配する第１ヘッダ部材（41）と、
全ての上記第２の噴霧ノズル（52）に接続して各第２の噴霧ノズル（52）に上記原料液を分配する第２ヘッダ部材（51）とを備えている
ことを特徴とする成膜装置。
【請求項１０】
対象物（20）に原料液を噴霧することによって該対象物（20）の表面に被膜を形成する成膜方法であって、
複数の噴霧ノズル（42,52）を有する噴霧部（30）と上記噴霧部（30）の一方を他方に対して相対的に移動させながら、上記原料液が帯電した液滴となって上記噴霧ノズル（42,52）から上記対象物（20）へ噴霧されるように上記噴霧ノズル（42,52）と上記対象物（20）の間に電圧を印加することによって、
上記噴霧部（30）に対する上記対象物（20）の相対的な移動方向と交わる方向に交互に配置された該噴霧部（30）の第１の噴霧ノズル（42）及び第２の噴霧ノズル（52）から、上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれるように、上記原料液を噴霧する
ことを特徴とする成膜方法。
【発明の詳細な説明】
【技術分野】
【０００１】
本発明は、静電噴霧によって対象物に被膜を形成する成膜装置および成膜方法に関するものである。
【背景技術】
【０００２】
従来より、いわゆる静電噴霧法を用いて原料液を霧化し、霧化した原料液を対象物に付着させることによって被膜を形成する成膜装置が知られている。特許文献１には、広い面に被膜を形成するために、一列に並んだ複数の開口から原料液を噴霧する成膜装置が開示されている。
【先行技術文献】
【特許文献】
【０００３】
【特許文献１】特開２０１２−１３５７０４号公報
【発明の概要】
【発明が解決しようとする課題】
【０００４】
ところで、静電噴霧法を用いて原料液を霧化する場合、開口から噴霧された液滴は帯電している。また、開口から噴霧された無数の液滴は、概ね円錐状に広がりながら飛翔して対象物に付着する。このため、対象物の表面付近では、隣り合う開口から噴霧された液滴同士の距離が短くなる。
【０００５】
一方、各開口から噴出した液滴は、同じ極性の電荷を帯びている。従って、対象物の表面付近において隣り合う開口から噴霧された液滴同士が接近すると、各液滴には、互いに反発する方向のクーロン力が作用する。このため、一列に並んだ複数の開口から原料液を噴霧する場合、対象物の表面では、隣り合う開口の間に位置する部分へ液滴が殆ど到達せず、対象物の表面全体に被膜を形成できないおそれがあった。
【０００６】
本発明は、かかる点に鑑みてなされたものであり、その目的は、静電噴霧法によって複数箇所から原料液を噴霧して対象物に被膜を形成する場合に、対象物の表面全体に確実に被膜を形成することにある。
【課題を解決するための手段】
【０００７】
第１の発明は、
対象物（20）に原料液を噴霧することによって該対象物（20）の表面に被膜を形成する静電噴霧型の成膜装置を対象とする。そして、複数の噴霧ノズル（42,52）を有する噴霧部（30）と、上記原料液が帯電した液滴となって上記噴霧ノズル（42,52）から上記対象物（20）へ噴霧されるように上記噴霧ノズル（42,52）と上記対象物（20）の間に電圧を印加する電圧印加部（70）と、上記対象物（20）と上記噴霧部（30）の一方を他方に対して相対的に移動させる移動機構（15）をと備え、上記噴霧部（30）は、第１の噴霧ノズル（42）と第２の噴霧ノズル（52）とが、上記噴霧部（30）に対する上記対象物（20）の相対的な移動方向と交わる方向に交互に配置され、上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれているものである。
【０００８】
第１の発明の成膜装置（10）は、噴霧部（30）に第１の噴霧ノズル（42）と第２の噴霧ノズル（52）とが設けられる。電圧印加部（70）が噴霧ノズル（42,52）と対象物（20）の間に電圧を印加すると、原料液が噴霧ノズル（42,52）から噴霧される。対象物（20）の表面には、噴霧ノズル（42,52）から噴霧された液滴状の原料液が付着し、付着した原料液によって被膜が形成される。また、この発明において、移動機構（15）は、対象物（20）と噴霧部（30）の一方を他方に対して相対的に移動させる。噴霧ノズル（42,52）から原料液が噴霧されている状態で対象物（20）が噴霧部（30）に対して相対的に移動すると、対象物（20）の表面では、各噴霧ノズル（42,52）に対応するの帯状の領域に原料液が付着する。
【０００９】
第１の発明の噴霧部（30）では、噴霧部（30）に対する対象物（20）の相対的な移動方向と交わる方向において、第１の噴霧ノズル（42）と第２の噴霧ノズル（52）とが交互に配置される。隣り合う第１の噴霧ノズル（42）と第２の噴霧ノズル（52）は、それぞれから噴霧された原料液の対象物（20）への付着位置が、噴霧部（30）に対する対象物（20）の相対的な移動方向において相違する。このため、各噴霧ノズル（42,52）から噴霧された原料液の対象物（20）への付着位置が噴霧部（30）に対する対象物（20）の相対的な移動方向に一直線上に並んでいる場合に比べると、対象物（20）の表面付近では、第１の噴霧ノズル（42）から噴霧された液滴状の原料液と、第２の噴霧ノズル（52）から噴霧された液滴状の原料液との距離が長くなる。従って、第１の噴霧ノズル（42）から噴霧された液滴状の原料液と、第２の噴霧ノズル（52）から噴霧された液滴状の原料液との間に作用する電気的な斥力が小さくなり、対象物（20）の表面の全体に原料液が付着する。
【００１０】
第２の発明は、上記第１の発明において、上記第１の噴霧ノズル（42）は、上記噴霧部（30）に対する上記対象物（20）の相対的な移動方向に向かって上記原料液を噴霧し、上記第２の噴霧ノズル（52）は、上記噴霧部（30）に対する上記対象物（20）の相対的な移動方向とは逆向きに上記原料液を噴霧するものである。
【００１１】
第２の発明では、噴霧部（30）に対する対象物（20）の相対的な移動方向において、第１の噴霧ノズル（42）からの原料液の噴霧方向と、第２の噴霧ノズル（52）からの原料液の噴霧方向とが、逆向きとなる。このため、対象物（20）の表面付近では、第１の噴霧ノズル（42）から噴霧された液滴状の原料液と、第２の噴霧ノズル（52）から噴霧された液滴状の原料液との距離が長くなる。その結果、第１の噴霧ノズル（42）から噴霧された液滴状の原料液と、第２の噴霧ノズル（52）から噴霧された液滴状の原料液との間に作用する電気的な斥力が小さくなる。
【００１２】
第３の発明は、上記第２の発明において、上記第１の噴霧ノズル（42）は、該第１の噴霧ノズル（42）の軸心に対して傾斜した先端面（45）が上記噴霧部（30）に対する上記対象物（20）の相対的な移動方向の前側を向くように配置され、上記第２の噴霧ノズル（52）は、該第２の噴霧ノズル（52）の軸心に対して傾斜した先端面（55）が上記噴霧部（30）に対する上記対象物（20）の相対的な移動方向の後側を向くように配置されるものである。
【００１３】
第３の発明において、各噴霧ノズル（42,52）は、それぞれの軸方向に対して先端面（45,55）が傾斜している。噴霧部（30）に対する対象物（20）の相対的な移動方向において、第１の噴霧ノズル（42）の先端面（45）と、第２の噴霧ノズル（52）の先端面（55）とは、逆側を向いている。第１の噴霧ノズル（42）は、噴霧部（30）に対する対象物（20）の相対的な移動方向の前側を向いた先端面（45）から原料液を噴霧する。一方、第２の噴霧ノズル（52）は、噴霧部（30）に対する対象物（20）の相対的な移動方向の後側を向いた先端面（55）から原料液を噴霧する。
【００１４】
第４の発明は、上記第２又は第３の発明において、上記噴霧部（30）に対する上記対象物（20）の相対的な移動方向における上記第１の噴霧ノズル（42）の先端の後側に配置され、該第１の噴霧ノズル（42）から噴霧される液滴と電位が同極性の第１の偏向用電極（60,61）と、上記噴霧部（30）に対する上記対象物（20）の相対的な移動方向における上記第２の噴霧ノズル（52）の先端の前側に配置され、該第２の噴霧ノズル（52）から噴霧される液滴と電位が同極性の第２の偏向用電極（60,62）とを備えるものである。
【００１５】
第４の発明では、成膜装置（10）に偏向用電極（60,61,62）が設けられる。各偏向用電極（60,61,62）の電位は、対応する噴霧ノズル（42,52）から噴霧される液滴の電位と同極性である。噴霧部（30）に対する対象物（20）の相対的な移動方向において、第１の偏向用電極（60,61）は、第１の噴霧ノズル（42）の先端の後側に配置される。第１の噴霧ノズル（42）から噴霧された液滴状の原料液と第１の偏向用電極（60,61）との間には、電気的な斥力が作用する。このため、第１の噴霧ノズル（42）から噴霧された液滴状の原料液は、噴霧部（30）に対する対象物（20）の相対的な移動方向へ向かって飛散する。一方、噴霧部（30）に対する対象物（20）の相対的な移動方向において、第２の偏向用電極（60,62）は、第２の噴霧ノズル（52）の先端の前側に配置される。第２の噴霧ノズル（52）から噴霧された液滴状の原料液と第２の偏向用電極（60,62）との間に、電気的な斥力が作用する。このため、第２の噴霧ノズル（52）から噴霧された液滴状の原料液は、噴霧部（30）に対する対象物（20）の相対的な移動方向とは逆方向へ飛散する。
【００１６】
第５の発明は、上記第２〜第４のいずれか一つの発明において、上記対象物（20）が上記噴霧部（30）に相対的に近付いてくるときには、上記第２の噴霧ノズル（52）からの上記原料液の噴霧を開始した後に上記第１の噴霧ノズル（42）からの上記原料液の噴霧を開始し、上記対象物（20）が上記噴霧部（30）から相対的に離れてゆくときには、上記第２の噴霧ノズル（52）からの上記原料液の噴霧を停止した後に上記第１の噴霧ノズル（42）からの上記原料液の噴霧を停止するものである。
【００１７】
ここで、噴霧部（30）に相対的に近付いてくる対象物（20）は、先ず第２の噴霧ノズル（52）から噴霧された原料液の到達する領域に入り、その後に第１の噴霧ノズル（42）から噴霧された原料液の到達する領域に入る。また、噴霧部（30）に相対的に離れてゆく対象物（20）は、先ず第２の噴霧ノズル（52）から噴霧された原料液の到達する領域から外れ、その後に第１の噴霧ノズル（42）から噴霧された原料液の到達する領域から外れる。一方、噴霧ノズル（42,52）から噴霧された原料液が到達しない領域に対象物（20）が存在する場合には、噴霧ノズル（42,52）から噴霧された原料液が対象物（20）に付着しない。従って、この場合に噴霧ノズル（42,52）から原料液を噴霧し続けると、原料液が無駄となる。
【００１８】
そこで、第５の発明では、対象物（20）が噴霧部（30）に相対的に近付いてくるときには、先ず第２の噴霧ノズル（52）からの原料液の噴霧を開始し、その後に第１の噴霧ノズル（42）からの原料液の噴霧を開始する。つまり、第２の噴霧ノズル（52）から噴霧された原料液の到達する領域だけに対象物（20）が存在する間は、第１の噴霧ノズル（42）からの原料液の噴霧を停止し、第２の噴霧ノズル（52）から原料液を噴霧する。そして、第１及び第２の噴霧ノズル（42,52）から噴霧された原料液の到達する領域に対象物（20）が存在する間は、第１及び第２の噴霧ノズル（42,52）から原料液を噴霧する。
【００１９】
また、第５の発明では、対象物（20）が噴霧部（30）から相対的に離れてゆくときには、先ず第２の噴霧ノズル（52）からの原料液の噴霧を停止し、その後に第１の噴霧ノズル（42）からの原料液の噴霧を停止する。つまり、第１及び第２の噴霧ノズル（42,52）から噴霧された原料液の到達する領域に対象物（20）が存在する間は、第１及び第２の噴霧ノズル（42,52）から原料液を噴霧する。そして、第１の噴霧ノズル（42）から噴霧された原料液の到達する領域だけに対象物（20）が存在する間は、第２の噴霧ノズル（52）からの原料液の噴霧を停止し、第１の噴霧ノズル（42）から原料液を噴霧する。
【００２０】
第６の発明は、上記第１〜第５のいずれか一つの発明において、上記第１の噴霧ノズル（42）の先端の位置と、上記第２の噴霧ノズル（52）の先端の位置とが、上記噴霧部（30）に対する上記対象物（20）の相対的な移動方向にずれているものである。
【００２１】
第６の発明では、噴霧部（30）に対する対象物（20）の相対的な移動方向において、第１の噴霧ノズル（42）の先端の位置と、第２の噴霧ノズル（52）の先端の位置とが相違する。噴霧部（30）に対する対象物（20）の相対的な移動方向における位置が互いに異なる各噴霧ノズル（42,52）の先端から、原料液が噴霧される。
【００２２】
第７の発明は、上記第６の発明において、上記第１の噴霧ノズル（42）と上記第２の噴霧ノズル（52）の間を遮蔽する遮蔽部材（69）を備えるものである。
【００２３】
第７の発明では、遮蔽部材（69）が第１の噴霧ノズル（42）と第２の噴霧ノズル（52）の間を遮る。第１の噴霧ノズル（42）からは、遮蔽部材（69）の一方の側へ向かって原料液が噴霧され、第２の噴霧ノズル（52）からは、遮蔽部材（69）の他方の側へ向かって原料液が噴霧される。つまり、遮蔽部材（69）は、第１の噴霧ノズル（42）から噴霧された液滴状の原料液と、第２の噴霧ノズル（52）から噴霧された液滴状の原料液との間を遮る。
【００２４】
第８の発明は、上記第７の発明において、上記遮蔽部材（69）には、該遮蔽部材（69）の電位が上記噴霧ノズル（42,52）から噴霧された液滴の電位と同極性となるように電圧が印加されるものである。
【００２５】
第８の発明では、遮蔽部材（69）に電圧が印加される。遮蔽部材（69）の電位は、噴霧ノズルから噴霧された液滴の電位と同極性である。このため、各噴霧ノズル（42,52）から噴霧された液滴と遮蔽部材（69）とには、電気的な斥力が作用する。つまり、各噴霧ノズル（42,52）から噴霧された液滴には、液滴を遮蔽部材（69）から遠ざける方向のクーロン力が作用する。
【００２６】
第９の発明は、上記第１〜第８のいずれか一つの発明において、上記噴霧部（30）は、全ての上記第１の噴霧ノズル（42）に接続して各第１の噴霧ノズル（42）に上記原料液を分配する第１ヘッダ部材（41）と、全ての上記第２の噴霧ノズル（52）に接続して各第２の噴霧ノズル（52）に上記原料液を分配する第２ヘッダ部材（51）とを備えるものである。
【００２７】
第９の発明では、噴霧部（30）に二つのヘッダ部材（41,51）が設けられる。第１ヘッダ部材（41）には、第１の噴霧ノズル（42）が接続される。第１の噴霧ノズル（42）は、第１ヘッダ部材（41）から供給された原料液を噴霧する。一方、第２ヘッダ部材（51）には、第２の噴霧ノズル（52）が接続される。第２の噴霧ノズル（52）は、第２ヘッダ部材（51）から供給された原料液を噴霧する。
【００２８】
第１０の発明は、対象物（20）に原料液を噴霧することによって該対象物（20）の表面に被膜を形成する成膜方法を対象とする。そして、複数の噴霧ノズル（42,52）を有する噴霧部（30）と上記噴霧部（30）の一方を他方に対して相対的に移動させながら、上記原料液が帯電した液滴となって上記噴霧ノズル（42,52）から上記対象物（20）へ噴霧されるように上記噴霧ノズル（42,52）と上記対象物（20）の間に電圧を印加することによって、上記噴霧部（30）に対する上記対象物（20）の相対的な移動方向と交わる方向に交互に配置された該噴霧部（30）の第１の噴霧ノズル（42）及び第２の噴霧ノズル（52）から、上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれるように、上記原料液を噴霧するものである。
【００２９】
第１０の発明の成膜方法では、電圧印加部（70）が噴霧ノズル（42,52）と対象物（20）の間に電圧が印加され、原料液が噴霧ノズル（42,52）から噴霧される。対象物（20）の表面には、噴霧ノズル（42,52）から噴霧された液滴状の原料液が付着し、付着した原料液によって被膜が形成される。また、この発明では、対象物（20）と噴霧部（30）の一方を他方に対して相対的に移動する。噴霧ノズル（42,52）から原料液が噴霧されている状態で対象物（20）が噴霧部（30）に対して相対的に移動すると、対象物（20）の表面では、各噴霧ノズル（42,52）に対応する帯状の領域に原料液が付着する。
【００３０】
第１０の発明の成膜方法では、噴霧部（30）に対する対象物（20）の相対的な移動方向と交わる方向において、第１の噴霧ノズル（42）と第２の噴霧ノズル（52）を交互に配置する。そして、第１の噴霧ノズル（42）から噴霧された原料液の対象物（20）への付着位置と、第２の噴霧ノズル（52）から噴霧された原料液の対象物（20）への付着位置とを、噴霧部（30）に対する対象物（20）の相対的な移動方向にずらす。このため、各噴霧ノズル（42,52）から噴霧された原料液の対象物（20）への付着位置が噴霧部（30）に対する対象物（20）の相対的な移動方向に一直線上に並んでいる場合に比べると、対象物（20）の表面付近では、第１の噴霧ノズル（42）から噴霧された液滴状の原料液と、第２の噴霧ノズル（52）から噴霧された液滴状の原料液との距離が長くなる。従って、第１の噴霧ノズル（42）から噴霧された液滴状の原料液と、第２の噴霧ノズル（52）から噴霧された液滴状の原料液との間に作用する電気的な斥力が小さくなり、対象物（20）の表面の全体に原料液が付着する。
【発明の効果】
【００３１】
本発明では、噴霧部（30）に対する対象物（20）の相対的な移動方向と交わる方向において、第１の噴霧ノズル（42）と第２の噴霧ノズル（52）とが交互に配置され、噴霧部（30）に対する対象物（20）の相対的な移動方向において、第１の噴霧ノズル（42）から噴霧された原料液の対象物（20）への付着位置と、第２の噴霧ノズル（52）から噴霧された原料液の対象物（20）への付着位置とがずれている。このため、対象物（20）の表面付近では、第１の噴霧ノズル（42）から噴霧された液滴状の原料液と、第２の噴霧ノズル（52）から噴霧された液滴状の原料液との距離を確保することによって、第１の噴霧ノズル（42）から噴霧された液滴状の原料液と、第２の噴霧ノズル（52）から噴霧された液滴状の原料液との間に作用する電気的な斥力を小さくすることができる。従って、本発明によれば、対象物（20）の表面の全体に液滴状の原料液を到達させることが可能となり、対象物（20）の表面全体に確実に被膜を形成することができる。
【００３２】
上記第３の発明では、噴霧部（30）に対する対象物（20）の相対的な移動方向において、第１の噴霧ノズル（42）の先端面（45）が前側を向き、第２の噴霧ノズル（52）の先端面（55）が後側を向いている。このため、第１の噴霧ノズル（42）の先端面（45）からは、噴霧部（30）に対する対象物（20）の相対的な移動方向に向かって原料液を噴霧でき、第２の噴霧ノズル（52）の先端面からは、噴霧部（30）に対する対象物（20）の相対的な移動方向とは逆側に向かって原料液を噴霧できる。
【００３３】
上記第４の発明では、各偏向用電極（60,61,62）の電位が、対応する噴霧ノズル（42,52）から噴霧される液滴の電位と同極性となる。このため、各偏向用電極（60,61,62）と、それに対応する噴霧ノズル（42,52）から噴霧された液滴状の原料液との間に、電気的な斥力が作用する。従って、この発明によれば、各噴霧ノズル（42,52）からの原料液の噴霧方向を確実に制御することができる。
【００３４】
上記第５の発明では、噴霧部（30）に対する対象物（20）の相対的な移動方向へ原料液を噴霧する第１の噴霧ノズル（42）からの原料液の噴霧を開始するタイミングが、その方向とは逆方向へ原料液を噴霧する第２の噴霧ノズル（52）からの原料液の噴霧を開始するタイミングよりも遅くなっている。また、この発明では、噴霧部（30）に対する対象物（20）の相対的な移動方向へ原料液を噴霧する第１の噴霧ノズル（42）からの原料液の噴霧を停止するタイミングが、その方向とは逆方向へ原料液を噴霧する第２の噴霧ノズル（52）からの原料液の噴霧を停止するタイミングよりも遅くなっている。このため、噴霧ノズル（42,52）から噴霧された原料液が到達しない領域に対象物（20）が存在する場合に噴霧ノズル（42,52）から噴霧される原料液の量を減少させることができ、対象物（20）に付着せずに無駄になる原料液の量を削減することができる。
【００３５】
上記第６の発明では、噴霧部（30）に対する対象物（20）の相対的な移動方向において、第１の噴霧ノズル（42）の先端の位置と、第２の噴霧ノズル（52）の先端の位置とが相違する。このため、第１の噴霧ノズル（42）から噴霧された原料液の対象物（20）への付着位置と、第２の噴霧ノズル（52）から噴霧された原料液の上記物への付着位置とを、噴霧部（30）に対する対象物（20）の相対的な移動方向に確実にずらすことができる。
【００３６】
上記第７の発明では、第１の噴霧ノズル（42）と第２の噴霧ノズル（52）の間に遮蔽部材（69）が設けられる。そして、遮蔽部材（69）は、第１の噴霧ノズル（42）から噴霧された液滴状の原料液と、第２の噴霧ノズル（52）から噴霧された液滴状の原料液との間を遮る。このため、各噴霧ノズル（42,52）から噴霧された原料液の相互間の影響を抑えることができ、各噴霧ノズル（42,52）からの原料液の噴霧状態を安定化させることができる。
【００３７】
上記第８の発明では、遮蔽部材（69）の電位が噴霧ノズルから噴霧された液滴の電位と同極性となる。従って、各噴霧ノズル（42,52）から噴霧された液滴には、液滴を遮蔽部材（69）から遠ざける方向のクーロン力が作用する。このため、各噴霧ノズル（42,52）からの原料液の噴霧方向を安定させることができ、第１の噴霧ノズル（42）から噴霧された原料液の対象物（20）への付着位置と、第２の噴霧ノズル（52）から噴霧された原料液の対象物（20）への付着位置とを、噴霧部（30）に対する対象物（20）の相対的な移動方向に確実にずらすことができる。
【図面の簡単な説明】
【００３８】
【図１】図１は、実施形態１の成膜装置の全体構成を示す概略の構成図である。
【図２】図２は、実施形態１の成膜装置の噴霧ゾーンを示す概略の斜視図である。
【図３】図３は、図４及び図５のＰ−Ｐ断面と、電圧印加部および液供給部の概略構成とを示す断面図である。
【図４】図４は、実施形態１の成膜装置の噴霧ゾーンを示す概略の平面図である。
【図５】図５は、実施形態１の成膜装置の噴霧ゾーンを示す概略の正面図である。
【図６】図６は、図４及び図５のＰ−Ｐ断面の要部を拡大して示す断面図である。
【図７】図７は、実施形態１の成膜装置の動作を示す図であって、(Ａ)は図４及び図５のＰ−Ｐ断面を示す断面図であり、(Ｂ)は成膜装置の噴霧ゾーンの平面図である。
【図８】図８は、実施形態１の成膜装置の動作を示す図であって、図４及び図５のＰ−Ｐ断面の要部を示す断面図である。
【図９】図９は、実施形態１の成膜装置の動作を示す、噴霧ゾーンの概略の平面図である。
【図１０】図１０は、実施形態１の変形例１の噴霧ユニットの図６に相当する断面図である。
【図１１】図１１は、実施形態１の変形例２の成膜装置の図３に相当する断面図である。
【図１２】図１２は、実施形態２の成膜装置の図３に相当する断面を示す断面図である。
【図１３】図１３は、実施形態２の成膜装置の噴霧ゾーンを示す概略の正面図である。
【図１４】図１４は、実施形態２の変形例の成膜装置の図１２に相当する断面を示す断面図である。
【図１５】図１５は、図１７のＳ−Ｓ断面と、電圧印加部および液供給部の概略構成とを示す断面図である。
【図１６】図１６は、実施形態３の成膜装置の噴霧ゾーンを示す概略の平面図である。
【図１７】図１７は、実施形態３の成膜装置の噴霧ゾーンと、電圧印加部および液供給部の概略構成を示す概略の正面図である。
【図１８】図１８は、実施形態３の噴霧ユニットの要部を拡大して示す断面図であって、(Ａ)は図１６のＱ−Ｑ断面を示し、(Ｂ)は図１６のＲ−Ｒ断面を示す。
【図１９】図１９は、実施形態３の変形例の噴霧ユニットの要部を拡大して示す断面図であって、(Ａ)は図１８(Ａ)に相当する断面を示し、(Ｂ)は図１８(Ｂ)に相当する断面を示す。
【発明を実施するための形態】
【００３９】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００４０】
《発明の実施形態１》
本発明の実施形態１について説明する。本実施形態の成膜装置（10）は、タッチパネルのガラス基板（20）の表面に防汚用の被膜を形成するためのものである。また、本実施形態の成膜装置（10）は、いわゆる静電噴霧法によって噴霧した原料液を対象物であるガラス基板（20）の表面に付着させて被膜を形成する静電噴霧型の成膜装置（10）である。
【００４１】
−成膜装置の全体構成−
図１に示すように、成膜装置（10）には、前処理ゾーン（11）と、噴霧ゾーン（12）と、後処理ゾーン（13）とが形成されている。また、成膜装置（10）は、コントローラ（14）を備えている。コントローラ（14）は、成膜装置（10）の運転を制御する。
【００４２】
成膜装置（10）には、ガラス基板（20）を搬送するためのベルトコンベア（15）が設けられている。ベルトコンベア（15）は、前処理ゾーン（11）と噴霧ゾーン（12）と後処理ゾーン（13）とに亘って設けられ、導電板（25）の上に載せられたガラス基板（20）を、前処理ゾーン（11）、噴霧ゾーン（12）、後処理ゾーン（13）の順に搬送する。つまり、ベルトコンベア（15）は、図１の左から右へ向かって、ガラス基板（20）を真っ直ぐに搬送する。このベルトコンベア（15）は、後述する噴霧部（30）に対してガラス基板（20）を相対的に移動させる移動機構である。
【００４３】
前処理ゾーン（11）では、基板の表面を洗浄する工程が行われる。噴霧ゾーン（12）では、基板の表面に原料液を付着させる工程が行われる。詳しくは後述するが、噴霧ゾーン（12）には、噴霧部（30）と電圧印加部（70）と液供給部（80）とが設けられている。後処理ゾーン（13）では、ガラス基板（20）に被膜を定着させる工程が行われる。具体的に、処理ゾーンでは、原料液の付着したガラス基板（20）が加熱される。
【００４４】
−噴霧ゾーンの詳細構成−
図２及び図３に示すように、成膜装置（10）の噴霧ゾーン（12）には、噴霧部（30）と、液供給部（80）と、電圧印加部（70）とが設けられている。また、噴霧ゾーン（12）では、ガラス基板（20）を載せた導電板（25）が、図２及び図３における左から右へ向かって真っ直ぐに移動する。なお、導電板（25）は、導電性樹脂等からなる矩形の平板状の部材である。また、ガラス基板（20）は、矩形の平板状に形成されている。
【００４５】
〈噴霧部〉
噴霧部（30）は、ガラス基板（20）の上方に配置される。噴霧部（30）は、第１噴霧ユニット（40）と、第２噴霧ユニット（50）とを備えている。第１噴霧ユニット（40）は、一つの第１ヘッダ部材（41）と、四つの第１噴霧ノズル（42）とを備えている。第２噴霧ユニット（50）は、一つの第２ヘッダ部材（51）と、五つの第２噴霧ノズル（52）とを備えている。第１噴霧ユニット（40）は、ガラス基板（20）の移動方向（即ち、噴霧部（30）に対するガラス基板（20）の相対的な移動方向）における第２噴霧ユニット（50）の前側に配置されている。なお、各噴霧ユニット（40,50）に設けられた噴霧ノズル（42,52）の数は、単なる一例である。
【００４６】
各噴霧ユニット（40,50）のヘッダ部材（41,51）には、原料液を複数の噴霧ノズル（42,52）に分配するための通路が形成されている。各ヘッダ部材（41,51）は、それぞれの軸方向がガラス基板（20）の移動方向と実質的に直交する姿勢で配置されている。つまり、第１ヘッダ部材（41）と第２ヘッダ部材（51）は、それぞれの軸方向が互いに平行となる姿勢で、ガラス基板（20）の移動方向（即ち、ガラス基板（20）の長辺方向）に所定の間隔をおいて配置されている。
【００４７】
第１ヘッダ部材（41）の下面には、第１噴霧ノズル（42）が取り付けられている。第２ヘッダ部材（51）の下面には、第２噴霧ノズル（52）が取り付けられている。各噴霧ノズル（42,52）は、中空円筒状に形成された基部（43,53）と、金属製のノズル本体（44,54）とを備えている。基部（43,53）の材質は、非導電性の樹脂である。なお、ノズル本体（44,54）の材質は、導電性の樹脂であってもよい。ノズル本体（44,54）は、外径が０.３ｍｍ程度で内径が０.１ｍｍ程度の細径管である。
【００４８】
各噴霧ノズル（42,52）は、基部（43,53）がヘッダ部材（41,51）の下面に接合され、ノズル本体（44,54）が基部（43,53）の下面に接合されている。各噴霧ノズル（42,52）のノズル本体（44,54）は、その軸方向が実質的に鉛直方向（即ち、ガラス基板（20）の表面に対して実質的に垂直方向）となっている。
【００４９】
図４及び図５に示すように、第１噴霧ユニット（40）では、第１ヘッダ部材（41）の軸方向に沿って四つの第１噴霧ノズル（42）が等間隔に配置されている。第１噴霧ユニット（40）では、隣り合う第１噴霧ノズル（42）の間隔（即ち、隣り合うノズル本体（44）の中心軸の間隔）が２Ｌとなっている。つまり、第１噴霧ユニット（40）では、四つの第１噴霧ノズル（42）が一定のピッチ２Ｌで一列に配置されている。
【００５０】
一方、第２噴霧ユニット（50）では、第２ヘッダ部材（51）の軸方向に沿って五つの第２噴霧ノズル（52）が等間隔に配置されている。第２噴霧ユニット（50）では、隣り合う第２噴霧ノズル（52）の間隔（即ち、隣り合うノズル本体（54）の中心軸の間隔）が２Ｌとなっている。つまり、第２噴霧ユニット（50）では、五つの第２噴霧ノズル（52）が一定のピッチ２Ｌで一列に配置されている。
【００５１】
第１噴霧ユニット（40）における第１噴霧ノズル（42）の位置は、第２噴霧ユニット（50）における第２噴霧ノズル（52）の位置に対して半ピッチだけずれている（図４を参照）。このため、噴霧部（30）では、ガラス基板（20）の移動方向と直交する方向（即ち、ガラス基板（20）の短辺方向）に第１噴霧ノズル（42）と第２噴霧ノズル（52）が交互に配置され、ガラス基板（20）の短辺方向に隣接する第１噴霧ノズル（42）と第２噴霧ノズル（52）の間隔（即ち、ノズル本体（44）の中心軸とノズル本体（54）の中心軸の間隔）がＬとなっている。
【００５２】
また、上述したように、噴霧部（30）では、第１噴霧ユニット（40）の第１ヘッダ部材（41）と第２噴霧ユニット（50）の第２ヘッダ部材（51）とが、ガラス基板（20）の長辺方向に所定の間隔をおいて配置されている。このため、第１ヘッダ部材（41）に取り付けられた第１噴霧ノズル（42）の下端（即ち、ノズル本体（44）の下端）の位置と、第２ヘッダ部材（51）に取り付けられた第２噴霧ノズル（52）の下端（即ち、ノズル本体（54）の下端）の位置とは、ガラス基板（20）の移動方向へずれている。
【００５３】
図６に示すように、各噴霧ノズル（42,52）のノズル本体（44,54）の先端面（45,55）は、ノズル本体（44,54）の中心軸に対して傾斜している。第１噴霧ノズル（42）において、ノズル本体（44）の中心軸に対する先端面（45）の傾斜角はθ１である。第２噴霧ノズル（52）において、ノズル本体（54）の中心軸に対する先端面（55）の傾斜角はθ２である。ノズル本体（44）の先端面（45）の傾斜角θ１は、ノズル本体（54）の先端面（55）の傾斜角θ２と等しい。
【００５４】
第１噴霧ユニット（40）の各第１噴霧ノズル（42）は、ノズル本体（44）の先端面（45）が、ガラス基板（20）の移動方向の前側（図６における右側）を向いている。第２噴霧ユニット（50）の各第２噴霧ノズル（52）は、ノズル本体（54）の先端面（55）が、ガラス基板（20）の移動方向の後側（図６における左側）を向いている。また、図３及び図５に示すように、各噴霧ノズル（42,52）のノズル本体（44,54）の先端（図３及び図５における下端）からガラス基板（20）の表面までの距離Ｄは、互いに等しい。
【００５５】
〈液供給部〉
図３に示すように、液供給部（80）は、タンク（81）と、輸液配管（82）と、ポンプ（83）とを備えている。タンク（81）には、原料液が貯留されている。原料液は、防汚用の被膜を形成する物質を溶剤で希釈したものである。輸液配管（82）は、一端がタンク（81）の底部に接続され、他端が各噴霧ユニット（40,50）のヘッダ部材（41,51）に接続されている。ポンプ（83）は、輸液配管（82）に設けられ、タンク（81）から吸引した原料液をヘッダ部材（41,51）へ向けて吐出する。
【００５６】
〈電圧印加部〉
図３に示すように、電圧印加部（70）は、電源（71）と、接地電極（68）と、第１スイッチ（72）と、第２スイッチ（73）とを備えている。また、電圧印加部（70）は、一つの上部電極（60）と、二つの下部電極（66,67）とを備えている。
【００５７】
電源（71）は、出力電圧が５ｋＶ程度の直流電源（71）である。電源（71）の正極（＋極）は、第１スイッチ（72）を介して全ての第１噴霧ノズル（42）のノズル本体（44）に、第２スイッチ（73）を介して全ての第２噴霧ノズル（52）のノズル本体（54）に、それぞれ電気的に接続されている。電源（71）の負極（−極）は、接地されている。
【００５８】
接地電極（68）は、電源（71）の負極と同様に、接地されている。接地電極（68）は、導電板（25）の下方に配置され、ベルトコンベア（15）によって搬送される導電板（25）の下面と接触する。つまり、接地電極（68）が導電板（25）と導通し、導電板（25）が接地電極（68）と同電位になる。
【００５９】
図２及び図４に示すように、上部電極（60）は、棒状に形成された導電性樹脂製の部材であって、平面視でＩ字状に形成されている。上部電極（60）は、第１噴霧ノズル（42）のノズル本体（44）の先端部と、第２噴霧ノズル（52）のノズル本体（54）の先端部との間に配置されている。つまり、ガラス基板（20）の移動方向において、上部電極（60）は、第１噴霧ノズル（42）のノズル本体（44）の先端の後側に位置すると共に、第２噴霧ノズル（52）のノズル本体（54）の先端の前側に位置する。また、図４及び図６に示すように、第１噴霧ノズル（42）のノズル本体（44）の中心軸から上部電極（60）の表面までの距離Ｇ１は、第２噴霧ノズル（52）のノズル本体（54）の中心軸から上部電極（60）の表面までの距離Ｇ２と等しい。
【００６０】
上部電極（60）は、電源（71）の正極に電気的に接続されている。この上部電極（60）は、第１噴霧ノズル（42）に対応する第１の偏向用電極と、第２噴霧ノズル（52）に対応する第２の偏向用電極とを兼ねている。
【００６１】
図２及び図４に示すように、各下部電極（66,67）は、棒状に形成された導電性樹脂製の部材であって、ガラス基板（20）の短辺方向に延びる棒状に形成されている。各下部電極（66,67）は、上部電極（60）よりも下方で且つガラス基板（20）寄りに配置されている。第１下部電極（66）は、ガラス基板（20）の移動方向における第１噴霧ノズル（42）の前側に配置されている。第２下部電極（67）は、ガラス基板（20）の移動方向における第２噴霧ノズル（52）の後側に配置されている。また、第１下部電極（66）は、両端部が第２下部電極（67）側に概ね直角に屈曲し、第２下部電極（67）は、両端部が第１下部電極（66）側に概ね直角に屈曲している。第１下部電極（66）及び第２下部電極（67）は、電源（71）の正極に電気的に接続されている。
【００６２】
−成膜装置の運転動作−
上述したように、成膜装置（10）は、前処理ゾーン（11）においてガラス基板（20）を洗浄する工程を、噴霧ゾーン（12）においてガラス基板（20）に原料液を付着させる工程を、後処理ゾーン（13）においてガラス基板（20）に被膜を定着させる工程を、それぞれ行う。ここでは、噴霧ゾーン（12）においてガラス基板（20）に原料液を付着させるために成膜装置（10）が行う動作について説明する。成膜装置（10）は、以下で説明するような成膜方法を実行する。
【００６３】
〈原料液を噴霧する動作〉
先ず、噴霧部（30）から原料液を噴霧する動作について、図７を参照しながら説明する。ここでは、第１スイッチ（72）と第２スイッチ（73）の両方がＯＮ状態になっている場合を例に、成膜装置（10）の動作を説明する。なお、液供給部（80）のポンプ（83）は、成膜装置（10）の運転中は常に作動する。ポンプ（83）が作動すると、タンク（81）から各ヘッダ部材（41,51）へ原料液が供給される。第１ヘッダ部材（41）へ流入した原料液は、四つの第１噴霧ノズル（42）に分配され、第２ヘッダ部材（51）へ流入した原料液は、五つの第２噴霧ノズル（52）に分配される。
【００６４】
第１スイッチ（72）と第２スイッチ（73）の両方がＯＮ状態になっている場合は、各噴霧ノズル（42,52）のノズル本体（44,54）が電源（71）の正極と導通する。また、ガラス基板（20）を載せた導電板（25）が接地電極（68）と導通する。このため、各噴霧ノズル（42,52）のノズル本体（44,54）と、導電板（25）に載ったガラス基板（20）との間に電圧が印加される。
【００６５】
ノズル本体（44,54）とガラス基板（20）の間に電圧を印加すると、ノズル本体（44,54）の先端付近の空間に電界が形成される。すると、ノズル本体（44,54）の先端では、原料液が電界に引っ張られていわゆるテイラーコーンが形成され、そのテイラーコーンの先端から原料液が引きちぎられることによって概ね数μｍから１００μｍ程度の大きさの液滴が生成する。ノズル本体（44,54）から噴霧された液滴状の原料液は、ガラス基板（20）へ向かって（本実施形態では下に向かって）飛んでゆく。
【００６６】
第１噴霧ノズル（42）は、ノズル本体（44）の先端面（45）がガラス基板（20）の移動方向の前側を向いている。このため、このノズル本体（44）からは、ガラス基板（20）の移動方向へ向かって液滴状の原料液が噴霧される。一方、第２噴霧ノズル（52）は、ノズル本体（54）の先端面（55）がガラス基板（20）の移動方向の後側を向いている。このため、このノズル本体（54）からは、ガラス基板（20）の移動方向とは逆方向へ向かって液滴状の原料液が噴霧される。
【００６７】
また、ノズル本体（44,54）は電源（71）の正極と導通しているため、ノズル本体（44,54）から噴霧された液滴状の原料液は、正（＋）の電荷を有している。正（＋）の電荷を有する液滴状の原料液と、電源（71）の正極と導通する上部電極（60）との間には、電気的な斥力が作用する。上述したように、ノズル本体（44）の中心軸から上部電極（60）の表面までの距離Ｇ１は、ノズル本体（54）の中心軸から上部電極（60）の表面までの距離Ｇ２と等しい。このため、第１噴霧ノズル（42）から噴霧された液滴と上部電極（60）の間に作用する斥力は、第２噴霧ノズル（52）から噴霧された液滴と上部電極（60）の間に作用する斥力と概ね等しくなる。
【００６８】
このように、各噴霧ノズル（42,52）のノズル本体（44,54）から噴霧された液滴には、液滴を上部電極（60）から引き離す方向のクーロン力が作用する。このため、第１噴霧ノズル（42）のノズル本体（44）から噴霧された液滴は、上部電極（60）とは逆方向（即ち、ガラス基板（20）の移動方向）へ向かって飛散してゆく。また、第２噴霧ノズル（52）のノズル本体（54）から噴霧された液滴は、上部電極（60）とは逆方向（即ち、ガラス基板（20）の移動方向とは逆方向）へ向かって飛散してゆく。
【００６９】
更に、正の電荷を有する液滴状の原料液と、電源（71）の正極と導通する下部電極（66,67）との間には、電気的な斥力が作用する。つまり、第１噴霧ノズル（42）のノズル本体（44）から噴霧されてガラス基板（20）の表面付近に到達した液滴には、ガラス基板（20）の移動方向とは逆向きのクーロン力が作用する。このため、第１噴霧ノズル（42）から噴霧された液滴の過剰な拡散が抑えられる。また、第２噴霧ノズル（52）のノズル本体（54）から噴霧されてガラス基板（20）の表面付近に到達した液滴には、ガラス基板（20）の移動方向のクーロン力が作用する。このため、第２噴霧ノズル（52）から噴霧された液滴の過剰な拡散が抑えられる。
【００７０】
上述したように、第１噴霧ノズル（42）から噴霧された液滴と上部電極（60）の間に作用する斥力と、第２噴霧ノズル（52）から噴霧された液滴と上部電極（60）の間に作用する斥力とは、概ね等しい。このため、図７(Ａ)に示すように、第１噴霧ノズル（42）からの原料液の噴霧方向と、第２噴霧ノズル（52）からの原料液の噴霧方向とは、上部電極（60）を中心として概ね左右対称となる。従って、第１噴霧ノズル（42）から噴霧された液滴がガラス基板（20）の表面に到達するまでの時間と、第２噴霧ノズル（52）から噴霧された液滴がガラス基板（20）の表面に到達するまでの時間とは、概ね一致する。
【００７１】
図７(Ｂ)に示すように、各噴霧ノズル（42,52）から噴霧された液滴状の原料液が到達する領域である到達領域（91,92）は、概ね円形の領域となる。一方、図７(Ａ)に示すように、第１噴霧ノズル（42）から噴霧された液滴状の原料液は、同図の右斜め下に向かって飛散する一方、第２噴霧ノズル（52）から噴霧された液滴状の原料液は、同図の左斜め下に向かって飛散する。このため、第１噴霧ノズル（42）から噴霧された原料液が到達する領域である第１到達領域（91）と、第２噴霧ノズル（52）から噴霧された原料液が到達する領域である第２到達領域（92）とは、ガラス基板（20）の長辺方向に離れている。つまり、第１噴霧ノズル（42）から噴霧された原料液のガラス基板（20）への付着位置と、第２噴霧ノズル（52）から噴霧された原料液のガラス基板（20）への付着位置とは、ガラス基板（20）の移動方向にずれている。
【００７２】
ここで、仮に各噴霧ノズル（42,52）に対応する到達領域（91,92）がガラス基板（20）の短辺方向に一列に並んでいたとすると、隣り合う到達領域（91,92）の間隔は、実質的にゼロとなる。一方、本実施形態の成膜装置（10）では、第１噴霧ノズル（42）に対応する第１到達領域（91）の位置と、第２噴霧ノズル（52）に対応する第２到達領域（92）の位置とが、ガラス基板（20）の長辺方向にずれている。このため、本実施形態の成膜装置（10）では、図７(Ｂ)に示すように、各到達領域（91,92）同士の間隔が充分に確保される。
【００７３】
〈ガラス基板の全面に被膜を形成するための動作〉
成膜装置（10）では、ガラス基板（20）を載せた導電板（25）が、ベルトコンベア（15）によって搬送される。成膜装置（10）の噴霧ゾーン（12）では、水平方向へ真っ直ぐに移動するガラス基板（20）に対して、噴霧部（30）が原料液を噴霧する。その結果、矩形状のガラス基板（20）の表面全体に原料液が付着し、ガラス基板（20）の表面全体に防汚用の被膜が形成される。ここでは、ガラス基板（20）の全面に被膜を形成するための動作について、図８及び図９を参照しながら説明する。
【００７４】
噴霧ゾーン（12）には、ガラス基板（20）を載せた導電板（25）が、ベルトコンベア（15）によって搬送されてくる。ガラス基板（20）が噴霧部（30）に近付いてくる過程において、ガラス基板（20）の前縁（21）（即ち、ガラス基板（20）の移動方向の前側の縁部）は、先ず第２到達領域（92）に進入し、その後に第１到達領域（91）に進入する。なお、上述したように、第１到達領域（91）は、第１噴霧ノズル（42）から噴霧された液滴が到達する領域であり、第２到達領域（92）は、第２噴霧ノズル（52）から噴霧された液滴が到達する領域である。
【００７５】
第２到達領域（92）へガラス基板（20）の前縁（21）が到達するまでは、第１スイッチ（72）と第２スイッチ（73）の両方がＯＦＦ状態となっており、第１噴霧ノズル（42）及び第２噴霧ノズル（52）からの原料液の噴霧が停止している。図８(ａ)に示すように、第２到達領域（92）へガラス基板（20）の前縁（21）が到達すると、第２スイッチ（73）がＯＮ状態に切り換わり、第２噴霧ノズル（52）からの原料液の噴霧が開始される。図９(ａ)に示すように、第２噴霧ノズル（52）から原料液が噴霧されている状態でガラス基板（20）が移動すると、ガラス基板（20）の前縁（21）から各第２到達領域（92）に至る帯状の領域に原料液が付着する。
【００７６】
続いて、図８(ｂ)に示すように、第１到達領域（91）にガラス基板（20）の前縁（21）が到達すると、第１スイッチ（72）がＯＮ状態に切り換わり、第１噴霧ノズル（42）からの原料液の噴霧が開始される。
【００７７】
このように、ガラス基板（20）が噴霧部（30）へ近付いてくる過程において、噴霧部（30）は、先ず第２噴霧ノズル（52）からの原料液の噴霧を開始し、その後に第１噴霧ノズル（42）からの原料液の噴霧を開始する。
【００７８】
図９(ｂ)に示すように、第１噴霧ノズル（42）と第２噴霧ノズル（52）の両方から原料液が噴霧されている状態でガラス基板（20）が移動すると、ガラス基板（20）の前縁（21）から各第２到達領域（92）に至る帯状の領域と、ガラス基板（20）の前縁（21）から各第１到達領域（91）に至る帯状の領域とに原料液が付着する。
【００７９】
上述したように、本実施形態の成膜装置（10）では、ガラス基板（20）の短辺方向に隣り合う第１到達領域（91）と第２到達領域（92）の間隔が充分に確保されるため、第１噴霧ノズル（42）から噴霧された液滴と第２噴霧ノズル（52）から噴霧された液滴との間に作用する斥力は実質的にゼロとなる。このため、ガラス基板（20）の表面において、第１噴霧ノズル（42）から噴霧された原料液が付着した領域と、第２噴霧ノズル（52）から噴霧された原料液が付着した領域との間に、原料液が付着しない領域は存在しない。
【００８０】
図８(ｃ)に示すように、ガラス基板（20）の後縁（22）（即ち、ガラス基板（20）の移動方向の後側の縁部）が第２到達領域（92）に到達するまでの間は、第１噴霧ノズル（42）と第２噴霧ノズル（52）の両方から原料液が噴霧される。ガラス基板（20）が更に移動してガラス基板（20）の後縁（22）が第２到達領域（92）を通り過ぎると、第２スイッチ（73）がＯＦＦ状態となり、第２噴霧ノズル（52）からの原料液の噴霧が停止する。この時点において、ガラス基板（20）の表面のうち第２到達領域（92）に対応する帯状の領域は、ガラス基板（20）の前縁（21）から後縁（22）に亘る全体に原料液が付着している（図９(ｃ)を参照）。
【００８１】
その後は、図８(ｄ)に示すように、第１噴霧ノズル（42）から原料液が噴霧されている状態でガラス基板（20）が移動してゆく。その結果、図９(ｃ)に示すように、ガラス基板（20）の表面では、第１到達領域（91）に対応する部分に原料液が付着してゆく。そして、ガラス基板（20）の後縁（22）が第１到達領域（91）を通り過ぎると、第１スイッチ（72）がＯＦＦ状態となり、第１噴霧ノズル（42）からの原料液の噴霧が停止する。この時点では、ガラス基板（20）は、その表面の全体に原料液が付着した状態となる。
【００８２】
このように、ガラス基板（20）が噴霧部（30）から離れてゆく過程において、噴霧部（30）は、先ず第２噴霧ノズル（52）からの原料液の噴霧を停止し、その後に第１噴霧ノズル（42）からの原料液の噴霧を停止する。
【００８３】
上述したように、本実施形態の成膜装置（10）では、ガラス基板（20）の位置に応じて第１スイッチ（72）及び第２スイッチ（73）がＯＮ状態とＯＦＦ状態の何れかに設定される。このような第１スイッチ（72）及び第２スイッチ（73）の操作は、コントローラ（14）によって行われる。
【００８４】
−実施形態１の効果−
本実施形態の成膜装置（10）では、ガラス基板（20）の移動方向と交わる方向に第１噴霧ノズル（42）と第２噴霧ノズル（52）とが交互に配置され、第１到達領域（91）と第２到達領域（92）がガラス基板（20）の移動方向にずれている。なお、第１到達領域（91）は、第１噴霧ノズル（42）から噴霧された液滴が到達する領域であり、第２到達領域（92）は、第２噴霧ノズル（52）から噴霧された液滴が到達する領域である。このため、ガラス基板（20）の表面付近では、第１噴霧ノズル（42）から噴霧された帯電した液滴と、第２噴霧ノズル（52）から噴霧された帯電した液滴との距離が充分に確保され、その結果、第１噴霧ノズル（42）から噴霧された液滴と、第２噴霧ノズル（52）から噴霧された液滴との間に作用する電気的な斥力を小さくすることができる。従って、本実施形態の成膜装置（10）では、各噴霧ノズルから噴霧された液滴同士が反発しあってガラス基板（20）の表面に原料液が付着しない領域が形成されるのを防ぐことができ、ガラス基板（20）の対象物の表面全体に確実に被膜を形成することができる。
【００８５】
また、本実施形態の成膜装置（10）では、上部電極（60）の電位が、各噴霧ノズル（42,52）から噴霧された液滴の電位と同極性になっている。このため、各噴霧ノズル（42,52）から噴霧された液滴と上部電極（60）との間に、電気的な斥力が作用する。つまり、第１噴霧ノズル（42）から噴霧された液滴には、ガラス基板（20）の移動方向のクーロン力が作用し、第２噴霧ノズル（52）から噴霧された液滴には、ガラス基板（20）の移動方向とは逆方向のクーロン力が作用する。従って、本実施形態によれば、第１噴霧ノズル（42）から噴霧される液滴をガラス基板（20）の移動方向へ向けて確実に飛散させることができ、第２噴霧ノズル（52）から噴霧される液滴をガラス基板（20）の移動方向とは逆方向へ向けて確実に飛散させることができる。
【００８６】
ここで、噴霧ノズル（42,52）から噴霧された液滴がガラス基板（20）の表面に到達する過程では、液滴に含まれる溶剤が徐々に蒸発し、液滴の直径が次第に小さくなってゆく。一方、本実施形態の成膜装置（10）では、上述したように、第１噴霧ノズル（42）のノズル本体（44）の中心軸から上部電極（60）の表面までの距離Ｇ１と、第２噴霧ノズル（52）のノズル本体（54）の中心軸から上部電極（60）の表面までの距離Ｇ２とが等しくなっている。その結果、第１噴霧ノズル（42）から噴霧された液滴がガラス基板（20）の表面に到達するまでの時間と、第２噴霧ノズル（52）から噴霧された液滴がガラス基板（20）の表面に到達するまでの時間とが、概ね一致する。
【００８７】
このため、本実施形態によれば、第１噴霧ノズル（42）から噴霧されてガラス基板（20）の表面に到達する液滴の直径と、第２噴霧ノズル（52）から噴霧されてガラス基板（20）の表面に到達する液滴の直径との差を、できるだけ小さくすることができる。ガラス基板（20）の表面に到達する液滴の直径が小さいほど、ガラス基板（20）の表面に形成された被膜の厚さが薄くなる。従って、本実施形態によれば、各噴霧ノズル（42,52）から噴霧されてガラス基板（20）の表面に到達する液滴の直径を均一化することができ、ガラス基板（20）の表面に形成された被膜の厚さを均一化することができる。
【００８８】
また、本実施形態の成膜装置（10）では、ガラス基板（20）が噴霧部（30）へ近付いてくる過程において、ガラス基板（20）の移動方向へ原料液を噴霧する第１噴霧ノズル（42）からの原料液の噴霧を開始するタイミングが、ガラス基板（20）の移動方向とは逆向きに原料液を噴霧する第２噴霧ノズル（52）からの原料液の噴霧を開始するタイミングよりも遅くなっている。また、この成膜装置（10）では、ガラス基板（20）が噴霧部（30）から離れてゆく過程において、ガラス基板（20）の移動方向へ原料液を噴霧する第１噴霧ノズル（42）からの原料液の噴霧を停止するタイミングが、ガラス基板（20）の移動方向とは逆向きに原料液を噴霧する第２噴霧ノズル（52）からの原料液の噴霧を停止するタイミングよりも遅くなっている。従って、本実施形態によれば、噴霧ノズル（42,52）から噴霧された原料液が到達しない領域にガラス基板（20）が位置するときに噴霧ノズル（42,52）から噴霧される原料液の量を減少させることができ、ガラス基板（20）に付着せずに無駄になる原料液の量を削減することができる。
【００８９】
−実施形態１の変形例１−
本実施形態の成膜装置（10）では、図１０に示すように、各噴霧ノズル（42,52）のノズル本体（44,54）の先端面（45,55）が、ノズル本体（44,54）の中心軸と直交していてもよい。上述したように、各噴霧ノズル（42,52）から噴霧された液滴と上部電極（60）との間には、電気的な斥力が作用する。従って、本変形例においても、第１噴霧ノズル（42）から噴霧された液滴は、上部電極（60）から離れる方向（即ち、ガラス基板（20）の移動方向）へ飛散し、第２噴霧ノズル（52）から噴霧された液滴は、上部電極（60）から離れる方向（即ち、ガラス基板（20）の移動方向とは逆方向）へ飛散する。
【００９０】
−実施形態１の変形例２−
本実施形態の成膜装置（10）では、図１１に示すように、各噴霧ノズル（42,52）のノズル本体（44,54）の中心軸がガラス基板（20）の表面に対して傾斜していてもよい。本変形例の第１噴霧ユニット（40）において、各第１噴霧ノズル（42）のノズル本体（44）は、先端が基端よりもガラス基板（20）の移動方向の前側に位置するように傾斜している。また、本変形例の第２噴霧ユニット（50）において、各第２噴霧ノズル（52）のノズル本体（54）は、先端が基端よりもガラス基板（20）の移動方向の後側に位置するように傾斜している。
【００９１】
《発明の実施形態２》
本発明の実施形態２について説明する。ここでは、本実施形態の成膜装置（10）について、実施形態１の成膜装置（10）と異なる点を説明する。
【００９２】
図１２及び図１３に示すように、本実施形態の成膜装置（10）では、上部電極（60）に代えて遮蔽板（69）が設けられている。この遮蔽板（69）は、第１噴霧ユニット（40）と第２噴霧ユニット（50）の間に設けられた板状の部材であって、第１噴霧ユニット（40）と第２噴霧ユニット（50）の間を遮る遮蔽部材を構成している。
【００９３】
具体的に、遮蔽板（69）は、長方形の厚板状に形成された部材であって、第１噴霧ユニット（40）と第２噴霧ユニット（50）の間を遮るように配置されている。遮蔽板（69）は、長辺の長さがヘッダ部材（41,51）の長さよりも若干長い。また、遮蔽板（69）は、その上端部が第１ヘッダ部材（41）と第２ヘッダ部材（51）の間に位置し、その下端部が第１株電極と第２株電極の間に位置している。遮蔽板（69）の材質は、非導電性の樹脂である。上部電極（60）とは異なり、この遮蔽板（69）は電源（71）に接続されていない。
【００９４】
ここで、第１スイッチ（72）と第２スイッチ（73）の両方がＯＮ状態になっている場合は、第１噴霧ノズル（42）のノズル本体（44）の先端付近と、第２噴霧ノズル（52）のノズル本体（54）の先端付近とに電界が形成される。このため、第１噴霧ノズル（42）と第２噴霧ノズル（52）の間隔は充分に確保されていないと、第１噴霧ノズル（42）からの原料液の噴霧状態が第２噴霧ノズル（52）の先端付近に形成された電界の影響を受け、第２噴霧ノズル（52）からの原料液の噴霧状態が第１噴霧ノズル（42）の先端付近に形成された電界の影響を受けるおそれがある。この場合に第１スイッチ（72）がＯＦＦ状態に切り換わると、第１噴霧ノズル（42）の先端付近の電界が消滅し、第２噴霧ノズル（52）からの原料液の噴霧方向が急激に変化するおそれがある。そして、第２噴霧ノズル（52）からの原料液の噴霧方向が急激に変化すると、ガラス基板（20）の表面に形成された被膜の厚さが不均一になるおそれがある。
【００９５】
これに対し、本実施形態の成膜装置（10）では、第１噴霧ユニット（40）と第２噴霧ユニット（50）の間が非導電性材料からなる遮蔽板（69）によって遮られており、各噴霧ノズルの先端付近に形成された電界が遮蔽板（69）によって遮られる。このため、第１噴霧ノズル（42）と第２噴霧ノズル（52）の一方の先端付近の電界が他方からの原料液の噴霧状態に与える影響は、実質的に無くなる。従って、本実施形態によれば、第１スイッチ（72）がＯＦＦ状態に切り換わって第１噴霧ノズル（42）の先端付近の電界が消滅しても、第２噴霧ノズル（52）からの原料液の噴霧方向を一定に保つことができ、その結果、ガラス基板（20）の表面に形成された被膜の厚さを均一化することができる。
【００９６】
−実施形態２の変形例−
本実施形態の成膜装置（10）では、遮蔽板（69）の材質を金属または導電性の樹脂とし、遮蔽板（69）を電源（71）の正極に電気的に接続してもよい。本変形例の遮蔽板（69）の電位は、噴霧ノズル（42,52）から噴霧された液滴の電位と同極性である。このため、噴霧ノズル（42,52）から噴霧された液滴と遮蔽板（69）の間には、電気的な斥力が作用する。従って、本変形例によれば、噴霧ノズル（42,52）からの原料液の噴霧方向を安定化させることができる。
【００９７】
《発明の実施形態３》
本発明の実施形態３について説明する。ここでは、本実施形態の成膜装置（10）について、実施形態１の成膜装置（10）と異なる点を説明する。
【００９８】
図１５〜１７に示すように、本実施形態の成膜装置（10）には、第１噴霧ユニット（40）及び第２噴霧ユニット（50）に代えて、一つの噴霧ユニット（35）が設けられる。この噴霧ユニット（35）は、一つのヘッダ部材（36）と、四つの第１噴霧ノズル（42）と、五つの第２噴霧ノズル（52）とを備える。
【００９９】
噴霧ユニット（35）のヘッダ部材（36）には、原料液を複数の噴霧ノズル（42,52）に分配するための通路が形成されている。ヘッダ部材（36）は、その軸方向がガラス基板（20）の移動方向と実質的に直交する姿勢で配置されている。本実施形態の液供給部（80）は、輸液配管（82）がヘッダ部材（36）に接続されている。
【０１００】
ヘッダ部材（36）の下面には、第１噴霧ノズル（42）及び第２噴霧ノズル（52）が取り付けられている。各噴霧ノズル（42,52）は、基部（43,53）がヘッダ部材（36）の下面に接合され、ノズル本体（44,54）が基部（43,53）の下面に接合されている。各噴霧ノズル（42,52）のノズル本体（44,54）は、その軸方向が実質的に鉛直方向（即ち、ガラス基板（20）の表面に対して実質的に垂直方向）となっている。
【０１０１】
図１６に示すように、噴霧ユニット（35）では、ヘッダ部材（36）の軸方向に沿って第１噴霧ノズル（42）と第２噴霧ノズル（52）が交互に等間隔で配置されている。噴霧ユニット（35）では、隣り合う第１噴霧ノズル（42）と第２噴霧ノズル（52）の間隔（即ち、隣り合うノズル本体（44）の中心軸とノズル本体（54）の中心軸の間隔）がＬとなっている。つまり、噴霧ユニット（35）では、四つの第１噴霧ノズル（42）と五つの第２噴霧ノズル（52）とが、交互に一定のピッチＬで一列に配置されている。
【０１０２】
実施形態１と同様に、各噴霧ノズル（42,52）のノズル本体（44,54）の先端面（45,55）は、ノズル本体（44,54）の中心軸に対して傾斜している（図１８を参照）。実施形態１と同様に、各第１噴霧ノズル（42）は、ノズル本体（44）の先端面（45）がガラス基板（20）の移動方向の前側（図１８における右側）を向いており、各第２噴霧ノズル（52）は、ノズル本体（54）の先端面（55）がガラス基板（20）の移動方向の後側（図１８における左側）を向いている。図１５に示すように、各噴霧ノズル（42,52）のノズル本体（44,54）の先端（図１５における下端）からガラス基板（20）の表面までの距離Ｄは、互いに等しい。また、実施形態１と同様に、各第１噴霧ノズル（42）のノズル本体（44）は、第１スイッチ（72）を介して電源（71）の正極に電気的に接続され、各第２噴霧ノズル（52）のノズル本体（54）は、第２スイッチ（73）を介して電源（71）の正極に電気的に接続されている。
【０１０３】
図１６及び図１７に示すように、本実施形態の成膜装置（10）には、一つの上部電極（60）に代えて、四つ（即ち、第１噴霧ノズル（42）と同数）の第１上部電極（61）と、五つ（即ち、第２噴霧ノズル（52）と同数）の第２上部電極（62）とが設けられている。各上部電極（61,62）は、小型の長方形板状の部材である。各上部電極（61,62）の材質は、金属または導電性の樹脂である。
【０１０４】
図１８(Ａ)にも示すように、第１上部電極（61）は、第１の偏向用電極であって、ガラス基板（20）の移動方向における各第１噴霧ノズル（42）の後側に一つずつ配置されている。四つの第１上部電極（61）は、それぞれの幅方向がヘッダ部材（36）の長手方向と平行となり且つ起立した姿勢で、ヘッダ部材（36）の長手方向に沿って一列に設けられている。各第１上部電極（61）の上端は、対応する第１噴霧ノズル（42）のノズル本体（44）の下端よりも上方に位置している。また、各第１上部電極（61）は、電源（71）の正極に電気的に接続されている（図１７を参照）。従って、第１上部電極（61）の電位は、第１噴霧ノズル（42）から噴霧された液滴の電位と同極性となる。
【０１０５】
図１８(Ｂ)にも示すように、第２上部電極（62）は、第２の偏向用電極であって、ガラス基板（20）の移動方向における各第２噴霧ノズル（52）の前側に一つずつ配置されている。五つの第２上部電極（62）は、それぞれの幅方向がヘッダ部材（36）の長手方向と平行となり且つ起立した姿勢で、ヘッダ部材（36）の長手方向に沿って一列に設けられている。各第２上部電極（62）の上端は、対応する第２噴霧ノズル（52）のノズル本体（54）の下端よりも上方に位置している。また、各第２上部電極（62）は、電源（71）の正極に電気的に接続されている（図１７を参照）。従って、第２上部電極（62）の電位は、第２噴霧ノズル（52）から噴霧された液滴の電位と同極性となる。
【０１０６】
−運転動作−
噴霧部（30）から原料液を噴霧する動作について、実施形態１の成膜装置（10）が行う動作と異なる点を説明する。ここでは、第１スイッチ（72）と第２スイッチ（73）の両方がＯＮ状態になっている場合を例に、成膜装置（10）の動作を説明する。なお、液供給部（80）のポンプ（83）は、成膜装置（10）の運転中は常に作動する。ポンプ（83）が作動すると、タンク（81）からヘッダ部材（36）へ原料液が供給される。ヘッダ部材（36）へ流入した原料液は、四つの第１噴霧ノズル（42）と五つの第２噴霧ノズル（52）とに分配される。
【０１０７】
実施形態１と同様に、各噴霧ノズル（42,52）から噴霧された液滴状の原料液は、正（＋）の電荷を有している。従って、各第１噴霧ノズル（42）から噴霧された液滴と、その第１噴霧ノズル（42）に対応する第１上部電極（61）の間には電気的な斥力が作用する。このため、各第１噴霧ノズル（42）から噴霧された液滴は、その第１噴霧ノズル（42）に対応する第１上部電極（61）から離れる方向（即ち、ガラス基板（20）の移動方向）へ向かって飛散する。また、各第２噴霧ノズル（52）から噴霧された液滴と、その第２噴霧ノズル（52）に対応する第２上部電極（62）の間には電気的な斥力が作用する。このため、各第２噴霧ノズル（52）から噴霧された液滴は、その第２噴霧ノズル（52）に対応する第２上部電極（62）から離れる方向（即ち、ガラス基板（20）の移動方向とは逆方向）へ向かって飛散する。
【０１０８】
このように、本実施形態の成膜装置（10）では、実施形態１の成膜装置（10）と同様に、各第１噴霧ノズル（42）に対応する第１到達領域（91）の位置と、各第２噴霧ノズル（52）に対応する第２到達領域（92）の位置とが、ガラス基板（20）の移動方向へずれる。なお、第１到達領域（91）は、第１噴霧ノズル（42）から噴霧された液滴が到達する領域であり、第２到達領域（92）は、第２噴霧ノズル（52）から噴霧された液滴が到達する領域である。
【０１０９】
−実施形態３の変形例−
本実施形態の成膜装置（10）では、図１９に示すように、各噴霧ノズル（42,52）のノズル本体（44,54）の先端面（45,55）が、ノズル本体（44,54）の中心軸と直交していてもよい。上述したように、各噴霧ノズル（42,52）から噴霧された液滴と、その噴霧ノズル（42,52）に対応する上部電極（61,62）との間には、電気的な斥力が作用する。従って、本変形例においても、第１噴霧ノズル（42）から噴霧された液滴は、第１上部電極（61）から離れる方向（即ち、ガラス基板（20）の移動方向）へ飛散し、第２噴霧ノズル（52）から噴霧された液滴は、第２上部電極（62）から離れる方向（即ち、ガラス基板（20）の移動方向とは逆方向）へ飛散する。
【０１１０】
《その他の実施形態》
上記各実施形態の成膜装置（10）は、噴霧部（30）を固定してガラス基板（20）を移動させるように構成されているが、これとは逆に、ガラス基板（20）を固定して噴霧部（30）を移動させるように構成されていてもよい。
【産業上の利用可能性】
【０１１１】
以上説明したように、本発明は、静電噴霧によって対象物に被膜を形成する成膜装置および成膜方法について有用である。
【符号の説明】
【０１１２】
10    成膜装置
15    ベルトコンベア（移動機構）
20    ガラス基板（対象物）
30    噴霧部
41    第１ヘッダ部材
42    第１噴霧ノズル
45    先端面
51    第２ヘッダ部材
52    第２噴霧ノズル
55    先端面
60    上部電極（偏向用電極）
61    第１上部電極（偏向用電極）
62    第２上部電極（偏向用電極）
69    遮蔽板（遮蔽部材）
70    電圧印加部
【図１】
2014117690.tif 000003
【図２】
2014117690.tif 000004
【図３】
2014117690.tif 000005
【図４】
2014117690.tif 000006
【図５】
2014117690.tif 000007
【図６】
2014117690.tif 000008
【図７】
2014117690.tif 000009
【図８】
2014117690.tif 000010
【図９】
2014117690.tif 000011
【図１０】
2014117690.tif 000012
【図１１】
2014117690.tif 000013
【図１２】
2014117690.tif 000014
【図１３】
2014117690.tif 000015
【図１４】
2014117690.tif 000016
【図１５】
2014117690.tif 000017
【図１６】
2014117690.tif 000018
【図１７】
2014117690.tif 000019
【図１８】
2014117690.tif 000020
【図１９】
2014117690.tif 000021
【手続補正書】
【提出日】平成26年4月21日(2014.4.21)
【手続補正１】
【補正対象書類名】明細書
【補正対象項目名】全文
【補正方法】変更
【補正の内容】
【発明の詳細な説明】
【技術分野】
【０００１】
本発明は、静電噴霧によって対象物に被膜を形成する成膜装置に関するものである。
【背景技術】
【０００２】
従来より、いわゆる静電噴霧法を用いて原料液を霧化し、霧化した原料液を対象物に付着させることによって被膜を形成する成膜装置が知られている。特許文献１には、広い面に被膜を形成するために、一列に並んだ複数の開口から原料液を噴霧する成膜装置が開示されている。
【先行技術文献】
【特許文献】
【０００３】
【特許文献１】特開２０１２−１３５７０４号公報
【発明の概要】
【発明が解決しようとする課題】
【０００４】
ところで、静電噴霧法を用いて原料液を霧化する場合、開口から噴霧された液滴は帯電している。また、開口から噴霧された無数の液滴は、概ね円錐状に広がりながら飛翔して対象物に付着する。このため、対象物の表面付近では、隣り合う開口から噴霧された液滴同士の距離が短くなる。
【０００５】
一方、各開口から噴出した液滴は、同じ極性の電荷を帯びている。従って、対象物の表面付近において隣り合う開口から噴霧された液滴同士が接近すると、各液滴には、互いに反発する方向のクーロン力が作用する。このため、一列に並んだ複数の開口から原料液を噴霧する場合、対象物の表面では、隣り合う開口の間に位置する部分へ液滴が殆ど到達せず、対象物の表面全体に被膜を形成できないおそれがあった。
【０００６】
本発明は、かかる点に鑑みてなされたものであり、その目的は、静電噴霧法によって複数箇所から原料液を噴霧して対象物に被膜を形成する場合に、対象物の表面全体に確実に被膜を形成することにある。
【課題を解決するための手段】
【０００７】
第１,２,３,６の各発明は、対象物（20）に原料液を噴霧することによって該対象物（20）の表面に被膜を形成する静電噴霧型の成膜装置を対象とする。そして、複数の噴霧ノズル（42,52）を有する噴霧部（30）と、上記原料液が帯電した液滴となって上記噴霧ノズル（42,52）から上記対象物（20）へ噴霧されるように上記噴霧ノズル（42,52）と上記対象物（20）の間に電圧を印加する電圧印加部（70）と、上記対象物（20）と上記噴霧部（30）の一方を他方に対して相対的に移動させる移動機構（15）をと備え、上記噴霧部（30）は、第１の噴霧ノズル（42）と第２の噴霧ノズル（52）とが、上記噴霧部（30）に対する上記対象物（20）の相対的な移動方向と交わる方向に交互に配置され、上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれているものである。
【０００８】
第１,２,３,６の各発明の成膜装置（10）は、噴霧部（30）に第１の噴霧ノズル（42）と第２の噴霧ノズル（52）とが設けられる。電圧印加部（70）が噴霧ノズル（42,52）と対象物（20）の間に電圧を印加すると、原料液が噴霧ノズル（42,52）から噴霧される。対象物（20）の表面には、噴霧ノズル（42,52）から噴霧された液滴状の原料液が付着し、付着した原料液によって被膜が形成される。また、これらの発明において、移動機構（15）は、対象物（20）と噴霧部（30）の一方を他方に対して相対的に移動させる。噴霧ノズル（42,52）から原料液が噴霧されている状態で対象物（20）が噴霧部（30）に対して相対的に移動すると、対象物（20）の表面では、各噴霧ノズル（42,52）に対応する帯状の領域に原料液が付着する。
【０００９】
第１,２,３,６の各発明の噴霧部（30）では、噴霧部（30）に対する対象物（20）の相対的な移動方向と交わる方向において、第１の噴霧ノズル（42）と第２の噴霧ノズル（52）とが交互に配置される。隣り合う第１の噴霧ノズル（42）と第２の噴霧ノズル（52）は、それぞれから噴霧された原料液の対象物（20）への付着位置が、噴霧部（30）に対する対象物（20）の相対的な移動方向において相違する。このため、各噴霧ノズル（42,52）から噴霧された原料液の対象物（20）への付着位置が噴霧部（30）に対する対象物（20）の相対的な移動方向と交わる方向に一直線上に並んでいる場合に比べると、対象物（20）の表面付近では、第１の噴霧ノズル（42）から噴霧された液滴状の原料液と、第２の噴霧ノズル（52）から噴霧された液滴状の原料液との距離が長くなる。従って、第１の噴霧ノズル（42）から噴霧された液滴状の原料液と、第２の噴霧ノズル（52）から噴霧された液滴状の原料液との間に作用する電気的な斥力が小さくなり、対象物（20）の表面の全体に原料液が付着する。
【００１０】
第１,２,３の各発明は、上記の構成に加えて、上記第１の噴霧ノズル（42）は、上記噴霧部（30）に対する上記対象物（20）の相対的な移動方向に向かって上記原料液を噴霧し、上記第２の噴霧ノズル（52）は、上記噴霧部（30）に対する上記対象物（20）の相対的な移動方向とは逆向きに上記原料液を噴霧するものである。
【００１１】
第１,２,３の各発明では、噴霧部（30）に対する対象物（20）の相対的な移動方向において、第１の噴霧ノズル（42）からの原料液の噴霧方向と、第２の噴霧ノズル（52）からの原料液の噴霧方向とが、逆向きとなる。このため、対象物（20）の表面付近では、第１の噴霧ノズル（42）から噴霧された液滴状の原料液と、第２の噴霧ノズル（52）から噴霧された液滴状の原料液との距離が長くなる。その結果、第１の噴霧ノズル（42）から噴霧された液滴状の原料液と、第２の噴霧ノズル（52）から噴霧された液滴状の原料液との間に作用する電気的な斥力が小さくなる。
【００１２】
第１の発明は、上記の構成に加えて、上記電圧印加部（70）による上記噴霧ノズル（42,52）と上記対象物（20）への電圧の印加のみによって、上記噴霧ノズル（42,52）から原料液を噴霧するように構成される一方、上記第１の噴霧ノズル（42）の先端は、上記噴霧部（30）に対する上記対象物（20）の相対的な移動方向における上記第２の噴霧ノズル（52）の先端の前側に位置するものである。
【００１３】
第１の発明では、噴霧部（30）に対する対象物（20）の相対的な移動方向において、第１の噴霧ノズル（42）の先端が、第２の噴霧ノズル（52）の先端の前側に位置する。
【００１４】
第２の発明は、上記の構成に加えて、上記第１の噴霧ノズル（42）は、該第１の噴霧ノズル（42）の軸心に対して傾斜した先端面（45）が上記噴霧部（30）に対する上記対象物（20）の相対的な移動方向の前側を向くように配置され、上記第２の噴霧ノズル（52）は、該第２の噴霧ノズル（52）の軸心に対して傾斜した先端面（55）が上記噴霧部（30）に対する上記対象物（20）の相対的な移動方向の後側を向くように配置されるものである。
【００１５】
第２の発明において、各噴霧ノズル（42,52）は、それぞれの軸方向に対して先端面（45,55）が傾斜している。噴霧部（30）に対する対象物（20）の相対的な移動方向において、第１の噴霧ノズル（42）の先端面（45）と、第２の噴霧ノズル（52）の先端面（55）とは、逆側を向いている。第１の噴霧ノズル（42）は、噴霧部（30）に対する対象物（20）の相対的な移動方向の前側を向いた先端面（45）から原料液を噴霧する。一方、第２の噴霧ノズル（52）は、噴霧部（30）に対する対象物（20）の相対的な移動方向の後側を向いた先端面（55）から原料液を噴霧する。
【００１６】
第３の発明は、上記の構成に加えて、上記対象物（20）が上記噴霧部（30）に相対的に近付いてくるときには、上記第２の噴霧ノズル（52）からの上記原料液の噴霧を開始した後に上記第１の噴霧ノズル（42）からの上記原料液の噴霧を開始し、上記対象物（20）が上記噴霧部（30）から相対的に離れてゆくときには、上記第２の噴霧ノズル（52）からの上記原料液の噴霧を停止した後に上記第１の噴霧ノズル（42）からの上記原料液の噴霧を停止するものである。
【００１７】
ここで、噴霧部（30）に相対的に近付いてくる対象物（20）は、先ず第２の噴霧ノズル（52）から噴霧された原料液の到達する領域に入り、その後に第１の噴霧ノズル（42）から噴霧された原料液の到達する領域に入る。また、噴霧部（30）に相対的に離れてゆく対象物（20）は、先ず第２の噴霧ノズル（52）から噴霧された原料液の到達する領域から外れ、その後に第１の噴霧ノズル（42）から噴霧された原料液の到達する領域から外れる。一方、噴霧ノズル（42,52）から噴霧された原料液が到達しない領域に対象物（20）が存在する場合には、噴霧ノズル（42,52）から噴霧された原料液が対象物（20）に付着しない。従って、この場合に噴霧ノズル（42,52）から原料液を噴霧し続けると、原料液が無駄となる。
【００１８】
そこで、第３の発明では、対象物（20）が噴霧部（30）に相対的に近付いてくるときには、先ず第２の噴霧ノズル（52）からの原料液の噴霧を開始し、その後に第１の噴霧ノズル（42）からの原料液の噴霧を開始する。つまり、第２の噴霧ノズル（52）から噴霧された原料液の到達する領域だけに対象物（20）が存在する間は、第１の噴霧ノズル（42）からの原料液の噴霧を停止し、第２の噴霧ノズル（52）から原料液を噴霧する。そして、第１及び第２の噴霧ノズル（42,52）から噴霧された原料液の到達する領域に対象物（20）が存在する間は、第１及び第２の噴霧ノズル（42,52）から原料液を噴霧する。
【００１９】
また、第３の発明では、対象物（20）が噴霧部（30）から相対的に離れてゆくときには、先ず第２の噴霧ノズル（52）からの原料液の噴霧を停止し、その後に第１の噴霧ノズル（42）からの原料液の噴霧を停止する。つまり、第１及び第２の噴霧ノズル（42,52）から噴霧された原料液の到達する領域に対象物（20）が存在する間は、第１及び第２の噴霧ノズル（42,52）から原料液を噴霧する。そして、第１の噴霧ノズル（42）から噴霧された原料液の到達する領域だけに対象物（20）が存在する間は、第２の噴霧ノズル（52）からの原料液の噴霧を停止し、第１の噴霧ノズル（42）から原料液を噴霧する。
【００２０】
第４の発明は、上記第２又は第３の発明において、上記第１の噴霧ノズル（42）の先端の位置と、上記第２の噴霧ノズル（52）の先端の位置とが、上記噴霧部（30）に対する上記対象物（20）の相対的な移動方向にずれているものである。
【００２１】
第６の発明は、上記の構成に加えて、上記第１の噴霧ノズル（42）の先端の位置と、上記第２の噴霧ノズル（52）の先端の位置とが、上記噴霧部（30）に対する上記対象物（20）の相対的な移動方向にずれているものである。
【００２２】
第４，第６の各発明では、噴霧部（30）に対する対象物（20）の相対的な移動方向において、第１の噴霧ノズル（42）の先端の位置と、第２の噴霧ノズル（52）の先端の位置とが相違する。噴霧部（30）に対する対象物（20）の相対的な移動方向における位置が互いに異なる各噴霧ノズル（42,52）の先端から、原料液が噴霧される。
【００２３】
第５の発明は、上記第１〜第４のいずれか一つの発明において、上記噴霧部（30）に対する上記対象物（20）の相対的な移動方向における上記第１の噴霧ノズル（42）の先端の後側に配置され、該第１の噴霧ノズル（42）から噴霧される液滴と電位が同極性の第１の偏向用電極（60,61）と、上記噴霧部（30）に対する上記対象物（20）の相対的な移動方向における上記第２の噴霧ノズル（52）の先端の前側に配置され、該第２の噴霧ノズル（52）から噴霧される液滴と電位が同極性の第２の偏向用電極（60,62）とを備えるものである。
【００２４】
第５の発明では、成膜装置（10）に偏向用電極（60,61,62）が設けられる。各偏向用電極（60,61,62）の電位は、対応する噴霧ノズル（42,52）から噴霧される液滴の電位と同極性である。噴霧部（30）に対する対象物（20）の相対的な移動方向において、第１の偏向用電極（60,61）は、第１の噴霧ノズル（42）の先端の後側に配置される。第１の噴霧ノズル（42）から噴霧された液滴状の原料液と第１の偏向用電極（60,61）との間には、電気的な斥力が作用する。このため、第１の噴霧ノズル（42）から噴霧された液滴状の原料液は、噴霧部（30）に対する対象物（20）の相対的な移動方向へ向かって飛散する。一方、噴霧部（30）に対する対象物（20）の相対的な移動方向において、第２の偏向用電極（60,62）は、第２の噴霧ノズル（52）の先端の前側に配置される。第２の噴霧ノズル（52）から噴霧された液滴状の原料液と第２の偏向用電極（60,62）との間に、電気的な斥力が作用する。このため、第２の噴霧ノズル（52）から噴霧された液滴状の原料液は、噴霧部（30）に対する対象物（20）の相対的な移動方向とは逆方向へ飛散する。
【００２５】
第６の発明は、上記の構成に加えて、上記第１の噴霧ノズル（42）と上記第２の噴霧ノズル（52）の間を遮蔽する遮蔽部材（69）を備えるものである。
【００２６】
第６の発明では、遮蔽部材（69）が第１の噴霧ノズル（42）と第２の噴霧ノズル（52）の間を遮る。第１の噴霧ノズル（42）からは、遮蔽部材（69）の一方の側へ向かって原料液が噴霧され、第２の噴霧ノズル（52）からは、遮蔽部材（69）の他方の側へ向かって原料液が噴霧される。つまり、遮蔽部材（69）は、第１の噴霧ノズル（42）から噴霧された液滴状の原料液と、第２の噴霧ノズル（52）から噴霧された液滴状の原料液との間を遮る。
【００２７】
第７の発明は、上記第６の発明において、上記遮蔽部材（69）には、該遮蔽部材（69）の電位が上記噴霧ノズル（42,52）から噴霧された液滴の電位と同極性となるように電圧が印加されるものである。
【００２８】
第７の発明では、遮蔽部材（69）に電圧が印加される。遮蔽部材（69）の電位は、噴霧ノズルから噴霧された液滴の電位と同極性である。このため、各噴霧ノズル（42,52）から噴霧された液滴と遮蔽部材（69）とには、電気的な斥力が作用する。つまり、各噴霧ノズル（42,52）から噴霧された液滴には、液滴を遮蔽部材（69）から遠ざける方向のクーロン力が作用する。
【００２９】
第８の発明は、上記第１〜第７のいずれか一つの発明において、上記噴霧部（30）は、全ての上記第１の噴霧ノズル（42）に接続して各第１の噴霧ノズル（42）に上記原料液を分配する第１ヘッダ部材（41）と、全ての上記第２の噴霧ノズル（52）に接続して各第２の噴霧ノズル（52）に上記原料液を分配する第２ヘッダ部材（51）とを備えるものである。
【００３０】
第８の発明では、噴霧部（30）に二つのヘッダ部材（41,51）が設けられる。第１ヘッダ部材（41）には、第１の噴霧ノズル（42）が接続される。第１の噴霧ノズル（42）は、第１ヘッダ部材（41）から供給された原料液を噴霧する。一方、第２ヘッダ部材（51）には、第２の噴霧ノズル（52）が接続される。第２の噴霧ノズル（52）は、第２ヘッダ部材（51）から供給された原料液を噴霧する。
【発明の効果】
【００３１】
本発明では、噴霧部（30）に対する対象物（20）の相対的な移動方向と交わる方向において、第１の噴霧ノズル（42）と第２の噴霧ノズル（52）とが交互に配置され、噴霧部（30）に対する対象物（20）の相対的な移動方向において、第１の噴霧ノズル（42）から噴霧された原料液の対象物（20）への付着位置と、第２の噴霧ノズル（52）から噴霧された原料液の対象物（20）への付着位置とがずれている。このため、対象物（20）の表面付近では、第１の噴霧ノズル（42）から噴霧された液滴状の原料液と、第２の噴霧ノズル（52）から噴霧された液滴状の原料液との距離を確保することによって、第１の噴霧ノズル（42）から噴霧された液滴状の原料液と、第２の噴霧ノズル（52）から噴霧された液滴状の原料液との間に作用する電気的な斥力を小さくすることができる。従って、本発明によれば、対象物（20）の表面の全体に液滴状の原料液を到達させることが可能となり、対象物（20）の表面全体に確実に被膜を形成することができる。
【００３２】
上記第２の発明では、噴霧部（30）に対する対象物（20）の相対的な移動方向において、第１の噴霧ノズル（42）の先端面（45）が前側を向き、第２の噴霧ノズル（52）の先端面（55）が後側を向いている。このため、第１の噴霧ノズル（42）の先端面（45）からは、噴霧部（30）に対する対象物（20）の相対的な移動方向に向かって原料液を噴霧でき、第２の噴霧ノズル（52）の先端面からは、噴霧部（30）に対する対象物（20）の相対的な移動方向とは逆側に向かって原料液を噴霧できる。
【００３３】
上記第５の発明では、各偏向用電極（60,61,62）の電位が、対応する噴霧ノズル（42,52）から噴霧される液滴の電位と同極性となる。このため、各偏向用電極（60,61,62）と、それに対応する噴霧ノズル（42,52）から噴霧された液滴状の原料液との間に、電気的な斥力が作用する。従って、この発明によれば、各噴霧ノズル（42,52）からの原料液の噴霧方向を確実に制御することができる。
【００３４】
上記第３の発明では、噴霧部（30）に対する対象物（20）の相対的な移動方向へ原料液を噴霧する第１の噴霧ノズル（42）からの原料液の噴霧を開始するタイミングが、その方向とは逆方向へ原料液を噴霧する第２の噴霧ノズル（52）からの原料液の噴霧を開始するタイミングよりも遅くなっている。また、この発明では、噴霧部（30）に対する対象物（20）の相対的な移動方向へ原料液を噴霧する第１の噴霧ノズル（42）からの原料液の噴霧を停止するタイミングが、その方向とは逆方向へ原料液を噴霧する第２の噴霧ノズル（52）からの原料液の噴霧を停止するタイミングよりも遅くなっている。このため、噴霧ノズル（42,52）から噴霧された原料液が到達しない領域に対象物（20）が存在する場合に噴霧ノズル（42,52）から噴霧される原料液の量を減少させることができ、対象物（20）に付着せずに無駄になる原料液の量を削減することができる。
【００３５】
上記第４，第６の各発明では、噴霧部（30）に対する対象物（20）の相対的な移動方向において、第１の噴霧ノズル（42）の先端の位置と、第２の噴霧ノズル（52）の先端の位置とが相違する。このため、第１の噴霧ノズル（42）から噴霧された原料液の対象物（20）への付着位置と、第２の噴霧ノズル（52）から噴霧された原料液の対象物（20）への付着位置とを、噴霧部（30）に対する対象物（20）の相対的な移動方向に確実にずらすことができる。
【００３６】
上記第６の発明では、第１の噴霧ノズル（42）と第２の噴霧ノズル（52）の間に遮蔽部材（69）が設けられる。そして、遮蔽部材（69）は、第１の噴霧ノズル（42）から噴霧された液滴状の原料液と、第２の噴霧ノズル（52）から噴霧された液滴状の原料液との間を遮る。このため、各噴霧ノズル（42,52）から噴霧された原料液の相互間の影響を抑えることができ、各噴霧ノズル（42,52）からの原料液の噴霧状態を安定化させることができる。
【００３７】
上記第７の発明では、遮蔽部材（69）の電位が噴霧ノズルから噴霧された液滴の電位と同極性となる。従って、各噴霧ノズル（42,52）から噴霧された液滴には、液滴を遮蔽部材（69）から遠ざける方向のクーロン力が作用する。このため、各噴霧ノズル（42,52）からの原料液の噴霧方向を安定させることができ、第１の噴霧ノズル（42）から噴霧された原料液の対象物（20）への付着位置と、第２の噴霧ノズル（52）から噴霧された原料液の対象物（20）への付着位置とを、噴霧部（30）に対する対象物（20）の相対的な移動方向に確実にずらすことができる。
【図面の簡単な説明】
【００３８】
【図１】図１は、実施形態１の成膜装置の全体構成を示す概略の構成図である。
【図２】図２は、実施形態１の成膜装置の噴霧ゾーンを示す概略の斜視図である。
【図３】図３は、図４及び図５のＰ−Ｐ断面と、電圧印加部および液供給部の概略構成とを示す断面図である。
【図４】図４は、実施形態１の成膜装置の噴霧ゾーンを示す概略の平面図である。
【図５】図５は、実施形態１の成膜装置の噴霧ゾーンを示す概略の正面図である。
【図６】図６は、図４及び図５のＰ−Ｐ断面の要部を拡大して示す断面図である。
【図７】図７は、実施形態１の成膜装置の動作を示す図であって、(Ａ)は図４及び図５のＰ−Ｐ断面を示す断面図であり、(Ｂ)は成膜装置の噴霧ゾーンの平面図である。
【図８】図８は、実施形態１の成膜装置の動作を示す図であって、図４及び図５のＰ−Ｐ断面の要部を示す断面図である。
【図９】図９は、実施形態１の成膜装置の動作を示す、噴霧ゾーンの概略の平面図である。
【図１０】図１０は、実施形態１の変形例１の噴霧ユニットの図６に相当する断面図である。
【図１１】図１１は、実施形態１の変形例２の成膜装置の図３に相当する断面図である。
【図１２】図１２は、実施形態２の成膜装置の図３に相当する断面を示す断面図である。
【図１３】図１３は、実施形態２の成膜装置の噴霧ゾーンを示す概略の正面図である。
【図１４】図１４は、実施形態２の変形例の成膜装置の図１２に相当する断面を示す断面図である。
【図１５】図１５は、図１７のＳ−Ｓ断面と、電圧印加部および液供給部の概略構成とを示す断面図である。
【図１６】図１６は、実施形態３の成膜装置の噴霧ゾーンを示す概略の平面図である。
【図１７】図１７は、実施形態３の成膜装置の噴霧ゾーンと、電圧印加部および液供給部の概略構成を示す概略の正面図である。
【図１８】図１８は、実施形態３の噴霧ユニットの要部を拡大して示す断面図であって、(Ａ)は図１６のＱ−Ｑ断面を示し、(Ｂ)は図１６のＲ−Ｒ断面を示す。
【図１９】図１９は、実施形態３の変形例の噴霧ユニットの要部を拡大して示す断面図であって、(Ａ)は図１８(Ａ)に相当する断面を示し、(Ｂ)は図１８(Ｂ)に相当する断面を示す。
【発明を実施するための形態】
【００３９】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００４０】
《発明の実施形態１》
本発明の実施形態１について説明する。本実施形態の成膜装置（10）は、タッチパネルのガラス基板（20）の表面に防汚用の被膜を形成するためのものである。また、本実施形態の成膜装置（10）は、いわゆる静電噴霧法によって噴霧した原料液を対象物であるガラス基板（20）の表面に付着させて被膜を形成する静電噴霧型の成膜装置（10）である。
【００４１】
−成膜装置の全体構成−
図１に示すように、成膜装置（10）には、前処理ゾーン（11）と、噴霧ゾーン（12）と、後処理ゾーン（13）とが形成されている。また、成膜装置（10）は、コントローラ（14）を備えている。コントローラ（14）は、成膜装置（10）の運転を制御する。
【００４２】
成膜装置（10）には、ガラス基板（20）を搬送するためのベルトコンベア（15）が設けられている。ベルトコンベア（15）は、前処理ゾーン（11）と噴霧ゾーン（12）と後処理ゾーン（13）とに亘って設けられ、導電板（25）の上に載せられたガラス基板（20）を、前処理ゾーン（11）、噴霧ゾーン（12）、後処理ゾーン（13）の順に搬送する。つまり、ベルトコンベア（15）は、図１の左から右へ向かって、ガラス基板（20）を真っ直ぐに搬送する。このベルトコンベア（15）は、後述する噴霧部（30）に対してガラス基板（20）を相対的に移動させる移動機構である。
【００４３】
前処理ゾーン（11）では、基板の表面を洗浄する工程が行われる。噴霧ゾーン（12）では、基板の表面に原料液を付着させる工程が行われる。詳しくは後述するが、噴霧ゾーン（12）には、噴霧部（30）と電圧印加部（70）と液供給部（80）とが設けられている。後処理ゾーン（13）では、ガラス基板（20）に被膜を定着させる工程が行われる。具体的に、後処理ゾーン（13）では、原料液の付着したガラス基板（20）が加熱される。
【００４４】
−噴霧ゾーンの詳細構成−
図２及び図３に示すように、成膜装置（10）の噴霧ゾーン（12）には、噴霧部（30）と、液供給部（80）と、電圧印加部（70）とが設けられている。また、噴霧ゾーン（12）では、ガラス基板（20）を載せた導電板（25）が、図２及び図３における左から右へ向かって真っ直ぐに移動する。なお、導電板（25）は、導電性樹脂等からなる矩形の平板状の部材である。また、ガラス基板（20）は、矩形の平板状に形成されている。
【００４５】
〈噴霧部〉
噴霧部（30）は、ガラス基板（20）の上方に配置される。噴霧部（30）は、第１噴霧ユニット（40）と、第２噴霧ユニット（50）とを備えている。第１噴霧ユニット（40）は、一つの第１ヘッダ部材（41）と、四つの第１噴霧ノズル（42）とを備えている。第２噴霧ユニット（50）は、一つの第２ヘッダ部材（51）と、五つの第２噴霧ノズル（52）とを備えている。第１噴霧ユニット（40）は、ガラス基板（20）の移動方向（即ち、噴霧部（30）に対するガラス基板（20）の相対的な移動方向）における第２噴霧ユニット（50）の前側に配置されている。なお、各噴霧ユニット（40,50）に設けられた噴霧ノズル（42,52）の数は、単なる一例である。
【００４６】
各噴霧ユニット（40,50）のヘッダ部材（41,51）には、原料液を複数の噴霧ノズル（42,52）に分配するための通路が形成されている。各ヘッダ部材（41,51）は、それぞれの軸方向がガラス基板（20）の移動方向と実質的に直交する姿勢で配置されている。つまり、第１ヘッダ部材（41）と第２ヘッダ部材（51）は、それぞれの軸方向が互いに平行となる姿勢で、ガラス基板（20）の移動方向（即ち、ガラス基板（20）の長辺方向）に所定の間隔をおいて配置されている。
【００４７】
第１ヘッダ部材（41）の下面には、第１噴霧ノズル（42）が取り付けられている。第２ヘッダ部材（51）の下面には、第２噴霧ノズル（52）が取り付けられている。各噴霧ノズル（42,52）は、中空円筒状に形成された基部（43,53）と、金属製のノズル本体（44,54）とを備えている。基部（43,53）の材質は、非導電性の樹脂である。なお、ノズル本体（44,54）の材質は、導電性の樹脂であってもよい。ノズル本体（44,54）は、外径が０.３ｍｍ程度で内径が０.１ｍｍ程度の細径管である。
【００４８】
各噴霧ノズル（42,52）は、基部（43,53）がヘッダ部材（41,51）の下面に接合され、ノズル本体（44,54）が基部（43,53）の下面に接合されている。各噴霧ノズル（42,52）のノズル本体（44,54）は、その軸方向が実質的に鉛直方向（即ち、ガラス基板（20）の表面に対して実質的に垂直方向）となっている。
【００４９】
図４及び図５に示すように、第１噴霧ユニット（40）では、第１ヘッダ部材（41）の軸方向に沿って四つの第１噴霧ノズル（42）が等間隔に配置されている。第１噴霧ユニット（40）では、隣り合う第１噴霧ノズル（42）の間隔（即ち、隣り合うノズル本体（44）の中心軸の間隔）が２Ｌとなっている。つまり、第１噴霧ユニット（40）では、四つの第１噴霧ノズル（42）が一定のピッチ２Ｌで一列に配置されている。
【００５０】
一方、第２噴霧ユニット（50）では、第２ヘッダ部材（51）の軸方向に沿って五つの第２噴霧ノズル（52）が等間隔に配置されている。第２噴霧ユニット（50）では、隣り合う第２噴霧ノズル（52）の間隔（即ち、隣り合うノズル本体（54）の中心軸の間隔）が２Ｌとなっている。つまり、第２噴霧ユニット（50）では、五つの第２噴霧ノズル（52）が一定のピッチ２Ｌで一列に配置されている。
【００５１】
第１噴霧ユニット（40）における第１噴霧ノズル（42）の位置は、第２噴霧ユニット（50）における第２噴霧ノズル（52）の位置に対して半ピッチだけずれている（図４を参照）。このため、噴霧部（30）では、ガラス基板（20）の移動方向と直交する方向（即ち、ガラス基板（20）の短辺方向）に第１噴霧ノズル（42）と第２噴霧ノズル（52）が交互に配置され、ガラス基板（20）の短辺方向に隣接する第１噴霧ノズル（42）と第２噴霧ノズル（52）の間隔（即ち、ノズル本体（44）の中心軸とノズル本体（54）の中心軸の間隔）がＬとなっている。
【００５２】
また、上述したように、噴霧部（30）では、第１噴霧ユニット（40）の第１ヘッダ部材（41）と第２噴霧ユニット（50）の第２ヘッダ部材（51）とが、ガラス基板（20）の長辺方向に所定の間隔をおいて配置されている。このため、第１ヘッダ部材（41）に取り付けられた第１噴霧ノズル（42）の下端（即ち、ノズル本体（44）の下端）の位置と、第２ヘッダ部材（51）に取り付けられた第２噴霧ノズル（52）の下端（即ち、ノズル本体（54）の下端）の位置とは、ガラス基板（20）の移動方向へずれている。
【００５３】
図６に示すように、各噴霧ノズル（42,52）のノズル本体（44,54）の先端面（45,55）は、ノズル本体（44,54）の中心軸に対して傾斜している。第１噴霧ノズル（42）において、ノズル本体（44）の中心軸に対する先端面（45）の傾斜角はθ１である。第２噴霧ノズル（52）において、ノズル本体（54）の中心軸に対する先端面（55）の傾斜角はθ２である。ノズル本体（44）の先端面（45）の傾斜角θ１は、ノズル本体（54）の先端面（55）の傾斜角θ２と等しい。
【００５４】
第１噴霧ユニット（40）の各第１噴霧ノズル（42）は、ノズル本体（44）の先端面（45）が、ガラス基板（20）の移動方向の前側（図６における右側）を向いている。第２噴霧ユニット（50）の各第２噴霧ノズル（52）は、ノズル本体（54）の先端面（55）が、ガラス基板（20）の移動方向の後側（図６における左側）を向いている。また、図３及び図５に示すように、各噴霧ノズル（42,52）のノズル本体（44,54）の先端（図３及び図５における下端）からガラス基板（20）の表面までの距離Ｄは、互いに等しい。
【００５５】
〈液供給部〉
図３に示すように、液供給部（80）は、タンク（81）と、輸液配管（82）と、ポンプ（83）とを備えている。タンク（81）には、原料液が貯留されている。原料液は、防汚用の被膜を形成する物質を溶剤で希釈したものである。輸液配管（82）は、一端がタンク（81）の底部に接続され、他端が各噴霧ユニット（40,50）のヘッダ部材（41,51）に接続されている。ポンプ（83）は、輸液配管（82）に設けられ、タンク（81）から吸引した原料液をヘッダ部材（41,51）へ向けて吐出する。
【００５６】
〈電圧印加部〉
図３に示すように、電圧印加部（70）は、電源（71）と、接地電極（68）と、第１スイッチ（72）と、第２スイッチ（73）とを備えている。また、電圧印加部（70）は、一つの上部電極（60）と、二つの下部電極（66,67）とを備えている。
【００５７】
電源（71）は、出力電圧が５ｋＶ程度の直流電源である。電源（71）の正極（＋極）は、第１スイッチ（72）を介して全ての第１噴霧ノズル（42）のノズル本体（44）に、第２スイッチ（73）を介して全ての第２噴霧ノズル（52）のノズル本体（54）に、それぞれ電気的に接続されている。電源（71）の負極（−極）は、接地されている。
【００５８】
接地電極（68）は、電源（71）の負極と同様に、接地されている。接地電極（68）は、導電板（25）の下方に配置され、ベルトコンベア（15）によって搬送される導電板（25）の下面と接触する。つまり、接地電極（68）が導電板（25）と導通し、導電板（25）が接地電極（68）と同電位になる。
【００５９】
図２及び図４に示すように、上部電極（60）は、棒状に形成された導電性樹脂製の部材であって、平面視でＩ字状に形成されている。上部電極（60）は、第１噴霧ノズル（42）のノズル本体（44）の先端部と、第２噴霧ノズル（52）のノズル本体（54）の先端部との間に配置されている。つまり、ガラス基板（20）の移動方向において、上部電極（60）は、第１噴霧ノズル（42）のノズル本体（44）の先端の後側に位置すると共に、第２噴霧ノズル（52）のノズル本体（54）の先端の前側に位置する。また、図４及び図６に示すように、第１噴霧ノズル（42）のノズル本体（44）の中心軸から上部電極（60）の表面までの距離Ｇ１は、第２噴霧ノズル（52）のノズル本体（54）の中心軸から上部電極（60）の表面までの距離Ｇ２と等しい。
【００６０】
上部電極（60）は、電源（71）の正極に電気的に接続されている。この上部電極（60）は、第１噴霧ノズル（42）に対応する第１の偏向用電極と、第２噴霧ノズル（52）に対応する第２の偏向用電極とを兼ねている。
【００６１】
図２及び図４に示すように、各下部電極（66,67）は、棒状に形成された導電性樹脂製の部材であって、ガラス基板（20）の短辺方向に延びる棒状に形成されている。各下部電極（66,67）は、上部電極（60）よりも下方で且つガラス基板（20）寄りに配置されている。第１下部電極（66）は、ガラス基板（20）の移動方向における第１噴霧ノズル（42）の前側に配置されている。第２下部電極（67）は、ガラス基板（20）の移動方向における第２噴霧ノズル（52）の後側に配置されている。また、第１下部電極（66）は、両端部が第２下部電極（67）側に概ね直角に屈曲し、第２下部電極（67）は、両端部が第１下部電極（66）側に概ね直角に屈曲している。第１下部電極（66）及び第２下部電極（67）は、電源（71）の正極に電気的に接続されている。
【００６２】
−成膜装置の運転動作−
上述したように、成膜装置（10）は、前処理ゾーン（11）においてガラス基板（20）を洗浄する工程を、噴霧ゾーン（12）においてガラス基板（20）に原料液を付着させる工程を、後処理ゾーン（13）においてガラス基板（20）に被膜を定着させる工程を、それぞれ行う。ここでは、噴霧ゾーン（12）においてガラス基板（20）に原料液を付着させるために成膜装置（10）が行う動作について説明する。成膜装置（10）は、以下で説明するような成膜方法を実行する。
【００６３】
〈原料液を噴霧する動作〉
先ず、噴霧部（30）から原料液を噴霧する動作について、図７を参照しながら説明する。ここでは、第１スイッチ（72）と第２スイッチ（73）の両方がＯＮ状態になっている場合を例に、成膜装置（10）の動作を説明する。なお、液供給部（80）のポンプ（83）は、成膜装置（10）の運転中は常に作動する。ポンプ（83）が作動すると、タンク（81）から各ヘッダ部材（41,51）へ原料液が供給される。第１ヘッダ部材（41）へ流入した原料液は、四つの第１噴霧ノズル（42）に分配され、第２ヘッダ部材（51）へ流入した原料液は、五つの第２噴霧ノズル（52）に分配される。
【００６４】
第１スイッチ（72）と第２スイッチ（73）の両方がＯＮ状態になっている場合は、各噴霧ノズル（42,52）のノズル本体（44,54）が電源（71）の正極と導通する。また、ガラス基板（20）を載せた導電板（25）が接地電極（68）と導通する。このため、各噴霧ノズル（42,52）のノズル本体（44,54）と、導電板（25）に載ったガラス基板（20）との間に電圧が印加される。
【００６５】
ノズル本体（44,54）とガラス基板（20）の間に電圧を印加すると、ノズル本体（44,54）の先端付近の空間に電界が形成される。すると、ノズル本体（44,54）の先端では、原料液が電界に引っ張られていわゆるテイラーコーンが形成され、そのテイラーコーンの先端から原料液が引きちぎられることによって概ね数μｍから１００μｍ程度の大きさの液滴が生成する。ノズル本体（44,54）から噴霧された液滴状の原料液は、ガラス基板（20）へ向かって（本実施形態では下に向かって）飛んでゆく。
【００６６】
第１噴霧ノズル（42）は、ノズル本体（44）の先端面（45）がガラス基板（20）の移動方向の前側を向いている。このため、このノズル本体（44）からは、ガラス基板（20）の移動方向へ向かって液滴状の原料液が噴霧される。一方、第２噴霧ノズル（52）は、ノズル本体（54）の先端面（55）がガラス基板（20）の移動方向の後側を向いている。このため、このノズル本体（54）からは、ガラス基板（20）の移動方向とは逆方向へ向かって液滴状の原料液が噴霧される。
【００６７】
また、ノズル本体（44,54）は電源（71）の正極と導通しているため、ノズル本体（44,54）から噴霧された液滴状の原料液は、正（＋）の電荷を有している。正（＋）の電荷を有する液滴状の原料液と、電源（71）の正極と導通する上部電極（60）との間には、電気的な斥力が作用する。上述したように、ノズル本体（44）の中心軸から上部電極（60）の表面までの距離Ｇ１は、ノズル本体（54）の中心軸から上部電極（60）の表面までの距離Ｇ２と等しい。このため、第１噴霧ノズル（42）から噴霧された液滴と上部電極（60）の間に作用する斥力は、第２噴霧ノズル（52）から噴霧された液滴と上部電極（60）の間に作用する斥力と概ね等しくなる。
【００６８】
このように、各噴霧ノズル（42,52）のノズル本体（44,54）から噴霧された液滴には、液滴を上部電極（60）から引き離す方向のクーロン力が作用する。このため、第１噴霧ノズル（42）のノズル本体（44）から噴霧された液滴は、上部電極（60）とは逆方向（即ち、ガラス基板（20）の移動方向）へ向かって飛散してゆく。また、第２噴霧ノズル（52）のノズル本体（54）から噴霧された液滴は、上部電極（60）とは逆方向（即ち、ガラス基板（20）の移動方向とは逆方向）へ向かって飛散してゆく。
【００６９】
更に、正の電荷を有する液滴状の原料液と、電源（71）の正極と導通する下部電極（66,67）との間には、電気的な斥力が作用する。つまり、第１噴霧ノズル（42）のノズル本体（44）から噴霧されてガラス基板（20）の表面付近に到達した液滴には、ガラス基板（20）の移動方向とは逆向きのクーロン力が作用する。このため、第１噴霧ノズル（42）から噴霧された液滴の過剰な拡散が抑えられる。また、第２噴霧ノズル（52）のノズル本体（54）から噴霧されてガラス基板（20）の表面付近に到達した液滴には、ガラス基板（20）の移動方向のクーロン力が作用する。このため、第２噴霧ノズル（52）から噴霧された液滴の過剰な拡散が抑えられる。
【００７０】
上述したように、第１噴霧ノズル（42）から噴霧された液滴と上部電極（60）の間に作用する斥力と、第２噴霧ノズル（52）から噴霧された液滴と上部電極（60）の間に作用する斥力とは、概ね等しい。このため、図７(Ａ)に示すように、第１噴霧ノズル（42）からの原料液の噴霧方向と、第２噴霧ノズル（52）からの原料液の噴霧方向とは、上部電極（60）を中心として概ね左右対称となる。従って、第１噴霧ノズル（42）から噴霧された液滴がガラス基板（20）の表面に到達するまでの時間と、第２噴霧ノズル（52）から噴霧された液滴がガラス基板（20）の表面に到達するまでの時間とは、概ね一致する。
【００７１】
図７(Ｂ)に示すように、各噴霧ノズル（42,52）から噴霧された液滴状の原料液が到達する領域である到達領域（91,92）は、概ね円形の領域となる。一方、図７(Ａ)に示すように、第１噴霧ノズル（42）から噴霧された液滴状の原料液は、同図の右斜め下に向かって飛散する一方、第２噴霧ノズル（52）から噴霧された液滴状の原料液は、同図の左斜め下に向かって飛散する。このため、第１噴霧ノズル（42）から噴霧された原料液が到達する領域である第１到達領域（91）と、第２噴霧ノズル（52）から噴霧された原料液が到達する領域である第２到達領域（92）とは、ガラス基板（20）の長辺方向に離れている。つまり、第１噴霧ノズル（42）から噴霧された原料液のガラス基板（20）への付着位置と、第２噴霧ノズル（52）から噴霧された原料液のガラス基板（20）への付着位置とは、ガラス基板（20）の移動方向にずれている。
【００７２】
ここで、仮に各噴霧ノズル（42,52）に対応する到達領域（91,92）がガラス基板（20）の短辺方向に一列に並んでいたとすると、隣り合う到達領域（91,92）の間隔は、実質的にゼロとなる。一方、本実施形態の成膜装置（10）では、第１噴霧ノズル（42）に対応する第１到達領域（91）の位置と、第２噴霧ノズル（52）に対応する第２到達領域（92）の位置とが、ガラス基板（20）の長辺方向にずれている。このため、本実施形態の成膜装置（10）では、図７(Ｂ)に示すように、各到達領域（91,92）同士の間隔が充分に確保される。
【００７３】
〈ガラス基板の全面に被膜を形成するための動作〉
成膜装置（10）では、ガラス基板（20）を載せた導電板（25）が、ベルトコンベア（15）によって搬送される。成膜装置（10）の噴霧ゾーン（12）では、水平方向へ真っ直ぐに移動するガラス基板（20）に対して、噴霧部（30）が原料液を噴霧する。その結果、矩形状のガラス基板（20）の表面全体に原料液が付着し、ガラス基板（20）の表面全体に防汚用の被膜が形成される。ここでは、ガラス基板（20）の全面に被膜を形成するための動作について、図８及び図９を参照しながら説明する。
【００７４】
噴霧ゾーン（12）には、ガラス基板（20）を載せた導電板（25）が、ベルトコンベア（15）によって搬送されてくる。ガラス基板（20）が噴霧部（30）に近付いてくる過程において、ガラス基板（20）の前縁（21）（即ち、ガラス基板（20）の移動方向の前側の縁部）は、先ず第２到達領域（92）に進入し、その後に第１到達領域（91）に進入する。なお、上述したように、第１到達領域（91）は、第１噴霧ノズル（42）から噴霧された液滴が到達する領域であり、第２到達領域（92）は、第２噴霧ノズル（52）から噴霧された液滴が到達する領域である。
【００７５】
第２到達領域（92）へガラス基板（20）の前縁（21）が到達するまでは、第１スイッチ（72）と第２スイッチ（73）の両方がＯＦＦ状態となっており、第１噴霧ノズル（42）及び第２噴霧ノズル（52）からの原料液の噴霧が停止している。図８(ａ)に示すように、第２到達領域（92）へガラス基板（20）の前縁（21）が到達すると、第２スイッチ（73）がＯＮ状態に切り換わり、第２噴霧ノズル（52）からの原料液の噴霧が開始される。図９(ａ)に示すように、第２噴霧ノズル（52）から原料液が噴霧されている状態でガラス基板（20）が移動すると、ガラス基板（20）の前縁（21）から各第２到達領域（92）に至る帯状の領域に原料液が付着する。
【００７６】
続いて、図８(ｂ)に示すように、第１到達領域（91）にガラス基板（20）の前縁（21）が到達すると、第１スイッチ（72）がＯＮ状態に切り換わり、第１噴霧ノズル（42）からの原料液の噴霧が開始される。
【００７７】
このように、ガラス基板（20）が噴霧部（30）へ近付いてくる過程において、噴霧部（30）は、先ず第２噴霧ノズル（52）からの原料液の噴霧を開始し、その後に第１噴霧ノズル（42）からの原料液の噴霧を開始する。
【００７８】
図９(ｂ)に示すように、第１噴霧ノズル（42）と第２噴霧ノズル（52）の両方から原料液が噴霧されている状態でガラス基板（20）が移動すると、ガラス基板（20）の前縁（21）から各第２到達領域（92）に至る帯状の領域と、ガラス基板（20）の前縁（21）から各第１到達領域（91）に至る帯状の領域とに原料液が付着する。
【００７９】
上述したように、本実施形態の成膜装置（10）では、ガラス基板（20）の短辺方向に隣り合う第１到達領域（91）と第２到達領域（92）の間隔が充分に確保されるため、第１噴霧ノズル（42）から噴霧された液滴と第２噴霧ノズル（52）から噴霧された液滴との間に作用する斥力は実質的にゼロとなる。このため、ガラス基板（20）の表面において、第１噴霧ノズル（42）から噴霧された原料液が付着した領域と、第２噴霧ノズル（52）から噴霧された原料液が付着した領域との間に、原料液が付着しない領域は存在しない。
【００８０】
図８(ｃ)に示すように、ガラス基板（20）の後縁（22）（即ち、ガラス基板（20）の移動方向の後側の縁部）が第２到達領域（92）に到達するまでの間は、第１噴霧ノズル（42）と第２噴霧ノズル（52）の両方から原料液が噴霧される。ガラス基板（20）が更に移動してガラス基板（20）の後縁（22）が第２到達領域（92）を通り過ぎると、第２スイッチ（73）がＯＦＦ状態となり、第２噴霧ノズル（52）からの原料液の噴霧が停止する。この時点において、ガラス基板（20）の表面のうち第２到達領域（92）に対応する帯状の領域は、ガラス基板（20）の前縁（21）から後縁（22）に亘る全体に原料液が付着している（図９(ｃ)を参照）。
【００８１】
その後は、図８(ｄ)に示すように、第１噴霧ノズル（42）から原料液が噴霧されている状態でガラス基板（20）が移動してゆく。その結果、図９(ｃ)に示すように、ガラス基板（20）の表面では、第１到達領域（91）に対応する部分に原料液が付着してゆく。そして、ガラス基板（20）の後縁（22）が第１到達領域（91）を通り過ぎると、第１スイッチ（72）がＯＦＦ状態となり、第１噴霧ノズル（42）からの原料液の噴霧が停止する。この時点では、ガラス基板（20）は、その表面の全体に原料液が付着した状態となる。
【００８２】
このように、ガラス基板（20）が噴霧部（30）から離れてゆく過程において、噴霧部（30）は、先ず第２噴霧ノズル（52）からの原料液の噴霧を停止し、その後に第１噴霧ノズル（42）からの原料液の噴霧を停止する。
【００８３】
上述したように、本実施形態の成膜装置（10）では、ガラス基板（20）の位置に応じて第１スイッチ（72）及び第２スイッチ（73）がＯＮ状態とＯＦＦ状態の何れかに設定される。このような第１スイッチ（72）及び第２スイッチ（73）の操作は、コントローラ（14）によって行われる。
【００８４】
−実施形態１の効果−
本実施形態の成膜装置（10）では、ガラス基板（20）の移動方向と交わる方向に第１噴霧ノズル（42）と第２噴霧ノズル（52）とが交互に配置され、第１到達領域（91）と第２到達領域（92）がガラス基板（20）の移動方向にずれている。なお、第１到達領域（91）は、第１噴霧ノズル（42）から噴霧された液滴が到達する領域であり、第２到達領域（92）は、第２噴霧ノズル（52）から噴霧された液滴が到達する領域である。このため、ガラス基板（20）の表面付近では、第１噴霧ノズル（42）から噴霧された帯電した液滴と、第２噴霧ノズル（52）から噴霧された帯電した液滴との距離が充分に確保され、その結果、第１噴霧ノズル（42）から噴霧された液滴と、第２噴霧ノズル（52）から噴霧された液滴との間に作用する電気的な斥力を小さくすることができる。従って、本実施形態の成膜装置（10）では、各噴霧ノズルから噴霧された液滴同士が反発しあってガラス基板（20）の表面に原料液が付着しない領域が形成されるのを防ぐことができ、ガラス基板（20）の表面全体に確実に被膜を形成することができる。
【００８５】
また、本実施形態の成膜装置（10）では、上部電極（60）の電位が、各噴霧ノズル（42,52）から噴霧された液滴の電位と同極性になっている。このため、各噴霧ノズル（42,52）から噴霧された液滴と上部電極（60）との間に、電気的な斥力が作用する。つまり、第１噴霧ノズル（42）から噴霧された液滴には、ガラス基板（20）の移動方向のクーロン力が作用し、第２噴霧ノズル（52）から噴霧された液滴には、ガラス基板（20）の移動方向とは逆方向のクーロン力が作用する。従って、本実施形態によれば、第１噴霧ノズル（42）から噴霧される液滴をガラス基板（20）の移動方向へ向けて確実に飛散させることができ、第２噴霧ノズル（52）から噴霧される液滴をガラス基板（20）の移動方向とは逆方向へ向けて確実に飛散させることができる。
【００８６】
ここで、噴霧ノズル（42,52）から噴霧された液滴がガラス基板（20）の表面に到達する過程では、液滴に含まれる溶剤が徐々に蒸発し、液滴の直径が次第に小さくなってゆく。一方、本実施形態の成膜装置（10）では、上述したように、第１噴霧ノズル（42）のノズル本体（44）の中心軸から上部電極（60）の表面までの距離Ｇ１と、第２噴霧ノズル（52）のノズル本体（54）の中心軸から上部電極（60）の表面までの距離Ｇ２とが等しくなっている。その結果、第１噴霧ノズル（42）から噴霧された液滴がガラス基板（20）の表面に到達するまでの時間と、第２噴霧ノズル（52）から噴霧された液滴がガラス基板（20）の表面に到達するまでの時間とが、概ね一致する。
【００８７】
このため、本実施形態によれば、第１噴霧ノズル（42）から噴霧されてガラス基板（20）の表面に到達する液滴の直径と、第２噴霧ノズル（52）から噴霧されてガラス基板（20）の表面に到達する液滴の直径との差を、できるだけ小さくすることができる。ガラス基板（20）の表面に到達する液滴の直径が小さいほど、ガラス基板（20）の表面に形成された被膜の厚さが薄くなる。従って、本実施形態によれば、各噴霧ノズル（42,52）から噴霧されてガラス基板（20）の表面に到達する液滴の直径を均一化することができ、ガラス基板（20）の表面に形成された被膜の厚さを均一化することができる。
【００８８】
また、本実施形態の成膜装置（10）では、ガラス基板（20）が噴霧部（30）へ近付いてくる過程において、ガラス基板（20）の移動方向へ原料液を噴霧する第１噴霧ノズル（42）からの原料液の噴霧を開始するタイミングが、ガラス基板（20）の移動方向とは逆向きに原料液を噴霧する第２噴霧ノズル（52）からの原料液の噴霧を開始するタイミングよりも遅くなっている。また、この成膜装置（10）では、ガラス基板（20）が噴霧部（30）から離れてゆく過程において、ガラス基板（20）の移動方向へ原料液を噴霧する第１噴霧ノズル（42）からの原料液の噴霧を停止するタイミングが、ガラス基板（20）の移動方向とは逆向きに原料液を噴霧する第２噴霧ノズル（52）からの原料液の噴霧を停止するタイミングよりも遅くなっている。従って、本実施形態によれば、噴霧ノズル（42,52）から噴霧された原料液が到達しない領域にガラス基板（20）が位置するときに噴霧ノズル（42,52）から噴霧される原料液の量を減少させることができ、ガラス基板（20）に付着せずに無駄になる原料液の量を削減することができる。
【００８９】
−実施形態１の変形例１−
本実施形態の成膜装置（10）では、図１０に示すように、各噴霧ノズル（42,52）のノズル本体（44,54）の先端面（45,55）が、ノズル本体（44,54）の中心軸と直交していてもよい。上述したように、各噴霧ノズル（42,52）から噴霧された液滴と上部電極（60）との間には、電気的な斥力が作用する。従って、本変形例においても、第１噴霧ノズル（42）から噴霧された液滴は、上部電極（60）から離れる方向（即ち、ガラス基板（20）の移動方向）へ飛散し、第２噴霧ノズル（52）から噴霧された液滴は、上部電極（60）から離れる方向（即ち、ガラス基板（20）の移動方向とは逆方向）へ飛散する。
【００９０】
−実施形態１の変形例２−
本実施形態の成膜装置（10）では、図１１に示すように、各噴霧ノズル（42,52）のノズル本体（44,54）の中心軸がガラス基板（20）の表面に対して傾斜していてもよい。本変形例の第１噴霧ユニット（40）において、各第１噴霧ノズル（42）のノズル本体（44）は、先端が基端よりもガラス基板（20）の移動方向の前側に位置するように傾斜している。また、本変形例の第２噴霧ユニット（50）において、各第２噴霧ノズル（52）のノズル本体（54）は、先端が基端よりもガラス基板（20）の移動方向の後側に位置するように傾斜している。
【００９１】
《発明の実施形態２》
本発明の実施形態２について説明する。ここでは、本実施形態の成膜装置（10）について、実施形態１の成膜装置（10）と異なる点を説明する。
【００９２】
図１２及び図１３に示すように、本実施形態の成膜装置（10）では、上部電極（60）に代えて遮蔽板（69）が設けられている。この遮蔽板（69）は、第１噴霧ユニット（40）と第２噴霧ユニット（50）の間に設けられた板状の部材であって、第１噴霧ユニット（40）と第２噴霧ユニット（50）の間を遮る遮蔽部材を構成している。
【００９３】
具体的に、遮蔽板（69）は、長方形の厚板状に形成された部材であって、第１噴霧ユニット（40）と第２噴霧ユニット（50）の間を遮るように配置されている。遮蔽板（69）は、長辺の長さがヘッダ部材（41,51）の長さよりも若干長い。また、遮蔽板（69）は、その上端部が第１ヘッダ部材（41）と第２ヘッダ部材（51）の間に位置し、その下端部が第１下部電極（66）と第２下部電極（67）の間に位置している。遮蔽板（69）の材質は、非導電性の樹脂である。上部電極（60）とは異なり、この遮蔽板（69）は電源（71）に接続されていない。
【００９４】
ここで、第１スイッチ（72）と第２スイッチ（73）の両方がＯＮ状態になっている場合は、第１噴霧ノズル（42）のノズル本体（44）の先端付近と、第２噴霧ノズル（52）のノズル本体（54）の先端付近とに電界が形成される。このため、第１噴霧ノズル（42）と第２噴霧ノズル（52）の間隔は充分に確保されていないと、第１噴霧ノズル（42）からの原料液の噴霧状態が第２噴霧ノズル（52）の先端付近に形成された電界の影響を受け、第２噴霧ノズル（52）からの原料液の噴霧状態が第１噴霧ノズル（42）の先端付近に形成された電界の影響を受けるおそれがある。この場合に第１スイッチ（72）がＯＦＦ状態に切り換わると、第１噴霧ノズル（42）の先端付近の電界が消滅し、第２噴霧ノズル（52）からの原料液の噴霧方向が急激に変化するおそれがある。そして、第２噴霧ノズル（52）からの原料液の噴霧方向が急激に変化すると、ガラス基板（20）の表面に形成された被膜の厚さが不均一になるおそれがある。
【００９５】
これに対し、本実施形態の成膜装置（10）では、第１噴霧ユニット（40）と第２噴霧ユニット（50）の間が非導電性材料からなる遮蔽板（69）によって遮られており、各噴霧ノズルの先端付近に形成された電界が遮蔽板（69）によって遮られる。このため、第１噴霧ノズル（42）と第２噴霧ノズル（52）の一方の先端付近の電界が他方からの原料液の噴霧状態に与える影響は、実質的に無くなる。従って、本実施形態によれば、第１スイッチ（72）がＯＦＦ状態に切り換わって第１噴霧ノズル（42）の先端付近の電界が消滅しても、第２噴霧ノズル（52）からの原料液の噴霧方向を一定に保つことができ、その結果、ガラス基板（20）の表面に形成された被膜の厚さを均一化することができる。
【００９６】
−実施形態２の変形例−
本実施形態の成膜装置（10）では、遮蔽板（69）の材質を金属または導電性の樹脂とし、遮蔽板（69）を電源（71）の正極に電気的に接続してもよい。本変形例の遮蔽板（69）の電位は、噴霧ノズル（42,52）から噴霧された液滴の電位と同極性である。このため、噴霧ノズル（42,52）から噴霧された液滴と遮蔽板（69）の間には、電気的な斥力が作用する。従って、本変形例によれば、噴霧ノズル（42,52）からの原料液の噴霧方向を安定化させることができる。
【００９７】
《発明の実施形態３》
本発明の実施形態３について説明する。ここでは、本実施形態の成膜装置（10）について、実施形態１の成膜装置（10）と異なる点を説明する。
【００９８】
図１５〜１７に示すように、本実施形態の成膜装置（10）には、第１噴霧ユニット（40）及び第２噴霧ユニット（50）に代えて、一つの噴霧ユニット（35）が設けられる。この噴霧ユニット（35）は、一つのヘッダ部材（36）と、四つの第１噴霧ノズル（42）と、五つの第２噴霧ノズル（52）とを備える。
【００９９】
噴霧ユニット（35）のヘッダ部材（36）には、原料液を複数の噴霧ノズル（42,52）に分配するための通路が形成されている。ヘッダ部材（36）は、その軸方向がガラス基板（20）の移動方向と実質的に直交する姿勢で配置されている。本実施形態の液供給部（80）は、輸液配管（82）がヘッダ部材（36）に接続されている。
【０１００】
ヘッダ部材（36）の下面には、第１噴霧ノズル（42）及び第２噴霧ノズル（52）が取り付けられている。各噴霧ノズル（42,52）は、基部（43,53）がヘッダ部材（36）の下面に接合され、ノズル本体（44,54）が基部（43,53）の下面に接合されている。各噴霧ノズル（42,52）のノズル本体（44,54）は、その軸方向が実質的に鉛直方向（即ち、ガラス基板（20）の表面に対して実質的に垂直方向）となっている。
【０１０１】
図１６に示すように、噴霧ユニット（35）では、ヘッダ部材（36）の軸方向に沿って第１噴霧ノズル（42）と第２噴霧ノズル（52）が交互に等間隔で配置されている。噴霧ユニット（35）では、隣り合う第１噴霧ノズル（42）と第２噴霧ノズル（52）の間隔（即ち、隣り合うノズル本体（44）の中心軸とノズル本体（54）の中心軸の間隔）がＬとなっている。つまり、噴霧ユニット（35）では、四つの第１噴霧ノズル（42）と五つの第２噴霧ノズル（52）とが、交互に一定のピッチＬで一列に配置されている。
【０１０２】
実施形態１と同様に、各噴霧ノズル（42,52）のノズル本体（44,54）の先端面（45,55）は、ノズル本体（44,54）の中心軸に対して傾斜している（図１８を参照）。実施形態１と同様に、各第１噴霧ノズル（42）は、ノズル本体（44）の先端面（45）がガラス基板（20）の移動方向の前側（図１８における右側）を向いており、各第２噴霧ノズル（52）は、ノズル本体（54）の先端面（55）がガラス基板（20）の移動方向の後側（図１８における左側）を向いている。図１５に示すように、各噴霧ノズル（42,52）のノズル本体（44,54）の先端（図１５における下端）からガラス基板（20）の表面までの距離Ｄは、互いに等しい。また、実施形態１と同様に、各第１噴霧ノズル（42）のノズル本体（44）は、第１スイッチ（72）を介して電源（71）の正極に電気的に接続され、各第２噴霧ノズル（52）のノズル本体（54）は、第２スイッチ（73）を介して電源（71）の正極に電気的に接続されている。
【０１０３】
図１６及び図１７に示すように、本実施形態の成膜装置（10）には、一つの上部電極（60）に代えて、四つ（即ち、第１噴霧ノズル（42）と同数）の第１上部電極（61）と、五つ（即ち、第２噴霧ノズル（52）と同数）の第２上部電極（62）とが設けられている。各上部電極（61,62）は、小型の長方形板状の部材である。各上部電極（61,62）の材質は、金属または導電性の樹脂である。
【０１０４】
図１８(Ａ)にも示すように、第１上部電極（61）は、第１の偏向用電極であって、ガラス基板（20）の移動方向における各第１噴霧ノズル（42）の後側に一つずつ配置されている。四つの第１上部電極（61）は、それぞれの幅方向がヘッダ部材（36）の長手方向と平行となり且つ起立した姿勢で、ヘッダ部材（36）の長手方向に沿って一列に設けられている。各第１上部電極（61）の上端は、対応する第１噴霧ノズル（42）のノズル本体（44）の下端よりも上方に位置している。また、各第１上部電極（61）は、電源（71）の正極に電気的に接続されている（図１７を参照）。従って、第１上部電極（61）の電位は、第１噴霧ノズル（42）から噴霧された液滴の電位と同極性となる。
【０１０５】
図１８(Ｂ)にも示すように、第２上部電極（62）は、第２の偏向用電極であって、ガラス基板（20）の移動方向における各第２噴霧ノズル（52）の前側に一つずつ配置されている。五つの第２上部電極（62）は、それぞれの幅方向がヘッダ部材（36）の長手方向と平行となり且つ起立した姿勢で、ヘッダ部材（36）の長手方向に沿って一列に設けられている。各第２上部電極（62）の上端は、対応する第２噴霧ノズル（52）のノズル本体（54）の下端よりも上方に位置している。また、各第２上部電極（62）は、電源（71）の正極に電気的に接続されている（図１７を参照）。従って、第２上部電極（62）の電位は、第２噴霧ノズル（52）から噴霧された液滴の電位と同極性となる。
【０１０６】
−運転動作−
噴霧部（30）から原料液を噴霧する動作について、実施形態１の成膜装置（10）が行う動作と異なる点を説明する。ここでは、第１スイッチ（72）と第２スイッチ（73）の両方がＯＮ状態になっている場合を例に、成膜装置（10）の動作を説明する。なお、液供給部（80）のポンプ（83）は、成膜装置（10）の運転中は常に作動する。ポンプ（83）が作動すると、タンク（81）からヘッダ部材（36）へ原料液が供給される。ヘッダ部材（36）へ流入した原料液は、四つの第１噴霧ノズル（42）と五つの第２噴霧ノズル（52）とに分配される。
【０１０７】
実施形態１と同様に、各噴霧ノズル（42,52）から噴霧された液滴状の原料液は、正（＋）の電荷を有している。従って、各第１噴霧ノズル（42）から噴霧された液滴と、その第１噴霧ノズル（42）に対応する第１上部電極（61）の間には電気的な斥力が作用する。このため、各第１噴霧ノズル（42）から噴霧された液滴は、その第１噴霧ノズル（42）に対応する第１上部電極（61）から離れる方向（即ち、ガラス基板（20）の移動方向）へ向かって飛散する。また、各第２噴霧ノズル（52）から噴霧された液滴と、その第２噴霧ノズル（52）に対応する第２上部電極（62）の間には電気的な斥力が作用する。このため、各第２噴霧ノズル（52）から噴霧された液滴は、その第２噴霧ノズル（52）に対応する第２上部電極（62）から離れる方向（即ち、ガラス基板（20）の移動方向とは逆方向）へ向かって飛散する。
【０１０８】
このように、本実施形態の成膜装置（10）では、実施形態１の成膜装置（10）と同様に、各第１噴霧ノズル（42）に対応する第１到達領域（91）の位置と、各第２噴霧ノズル（52）に対応する第２到達領域（92）の位置とが、ガラス基板（20）の移動方向へずれる。なお、第１到達領域（91）は、第１噴霧ノズル（42）から噴霧された液滴が到達する領域であり、第２到達領域（92）は、第２噴霧ノズル（52）から噴霧された液滴が到達する領域である。
【０１０９】
−実施形態３の変形例−
本実施形態の成膜装置（10）では、図１９に示すように、各噴霧ノズル（42,52）のノズル本体（44,54）の先端面（45,55）が、ノズル本体（44,54）の中心軸と直交していてもよい。上述したように、各噴霧ノズル（42,52）から噴霧された液滴と、その噴霧ノズル（42,52）に対応する上部電極（61,62）との間には、電気的な斥力が作用する。従って、本変形例においても、第１噴霧ノズル（42）から噴霧された液滴は、第１上部電極（61）から離れる方向（即ち、ガラス基板（20）の移動方向）へ飛散し、第２噴霧ノズル（52）から噴霧された液滴は、第２上部電極（62）から離れる方向（即ち、ガラス基板（20）の移動方向とは逆方向）へ飛散する。
【０１１０】
《その他の実施形態》
上記各実施形態の成膜装置（10）は、噴霧部（30）を固定してガラス基板（20）を移動させるように構成されているが、これとは逆に、ガラス基板（20）を固定して噴霧部（30）を移動させるように構成されていてもよい。
【産業上の利用可能性】
【０１１１】
以上説明したように、本発明は、静電噴霧によって対象物に被膜を形成する成膜装置および成膜方法について有用である。
【符号の説明】
【０１１２】
10    成膜装置
15    ベルトコンベア（移動機構）
20    ガラス基板（対象物）
30    噴霧部
41    第１ヘッダ部材
42    第１噴霧ノズル
45    先端面
51    第２ヘッダ部材
52    第２噴霧ノズル
55    先端面
60    上部電極（偏向用電極）
61    第１上部電極（偏向用電極）
62    第２上部電極（偏向用電極）
69    遮蔽板（遮蔽部材）
70    電圧印加部
【手続補正２】
【補正対象書類名】特許請求の範囲
【補正対象項目名】全文
【補正方法】変更
【補正の内容】
【特許請求の範囲】
【請求項１】
対象物（20）に原料液を噴霧することによって該対象物（20）の表面に被膜を形成する静電噴霧型の成膜装置であって、
複数の噴霧ノズル（42,52）を有する噴霧部（30）と、
上記原料液が帯電した液滴となって上記噴霧ノズル（42,52）から上記対象物（20）へ噴霧されるように上記噴霧ノズル（42,52）と上記対象物（20）の間に電圧を印加する電圧印加部（70）と、
上記対象物（20）と上記噴霧部（30）の一方を他方に対して相対的に移動させる移動機構（15）とを備え、
上記電圧印加部（70）による上記噴霧ノズル（42,52）と上記対象物（20）への電圧の印加のみによって、上記噴霧ノズル（42,52）から原料液を噴霧するように構成される一方、
上記噴霧部（30）は、
第１の噴霧ノズル（42）と第２の噴霧ノズル（52）とが、上記噴霧部（30）に対する上記対象物（20）の相対的な移動方向と交わる方向に交互に配置され、
上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれており、
上記第１の噴霧ノズル（42）は、上記噴霧部（30）に対する上記対象物（20）の相対的な移動方向に向かって上記原料液を噴霧し、
上記第２の噴霧ノズル（52）は、上記噴霧部（30）に対する上記対象物（20）の相対的な移動方向とは逆向きに上記原料液を噴霧し、
上記第１の噴霧ノズル（42）の先端は、上記噴霧部（30）に対する上記対象物（20）の相対的な移動方向における上記第２の噴霧ノズル（52）の先端の前側に位置している
ことを特徴とする成膜装置。
【請求項２】
対象物（20）に原料液を噴霧することによって該対象物（20）の表面に被膜を形成する静電噴霧型の成膜装置であって、
複数の噴霧ノズル（42,52）を有する噴霧部（30）と、
上記原料液が帯電した液滴となって上記噴霧ノズル（42,52）から上記対象物（20）へ噴霧されるように上記噴霧ノズル（42,52）と上記対象物（20）の間に電圧を印加する電圧印加部（70）と、
上記対象物（20）と上記噴霧部（30）の一方を他方に対して相対的に移動させる移動機構（15）とを備え、
上記噴霧部（30）は、
第１の噴霧ノズル（42）と第２の噴霧ノズル（52）とが、上記噴霧部（30）に対する上記対象物（20）の相対的な移動方向と交わる方向に交互に配置され、
上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれており、
上記第１の噴霧ノズル（42）は、上記噴霧部（30）に対する上記対象物（20）の相対的な移動方向に向かって上記原料液を噴霧し、
上記第２の噴霧ノズル（52）は、上記噴霧部（30）に対する上記対象物（20）の相対的な移動方向とは逆向きに上記原料液を噴霧し、
上記第１の噴霧ノズル（42）は、該第１の噴霧ノズル（42）の軸心に対して傾斜した先端面（45）が上記噴霧部（30）に対する上記対象物（20）の相対的な移動方向の前側を向くように配置され、
上記第２の噴霧ノズル（52）は、該第２の噴霧ノズル（52）の軸心に対して傾斜した先端面（55）が上記噴霧部（30）に対する上記対象物（20）の相対的な移動方向の後側を向くように配置されている
ことを特徴とする成膜装置。
【請求項３】
対象物（20）に原料液を噴霧することによって該対象物（20）の表面に被膜を形成する静電噴霧型の成膜装置であって、
複数の噴霧ノズル（42,52）を有する噴霧部（30）と、
上記原料液が帯電した液滴となって上記噴霧ノズル（42,52）から上記対象物（20）へ噴霧されるように上記噴霧ノズル（42,52）と上記対象物（20）の間に電圧を印加する電圧印加部（70）と、
上記対象物（20）と上記噴霧部（30）の一方を他方に対して相対的に移動させる移動機構（15）とを備え、
上記噴霧部（30）は、
第１の噴霧ノズル（42）と第２の噴霧ノズル（52）とが、上記噴霧部（30）に対する上記対象物（20）の相対的な移動方向と交わる方向に交互に配置され、
上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれており、
上記第１の噴霧ノズル（42）は、上記噴霧部（30）に対する上記対象物（20）の相対的な移動方向に向かって上記原料液を噴霧し、
上記第２の噴霧ノズル（52）は、上記噴霧部（30）に対する上記対象物（20）の相対的な移動方向とは逆向きに上記原料液を噴霧し、
上記対象物（20）が上記噴霧部（30）に相対的に近付いてくるときには、上記第２の噴霧ノズル（52）からの上記原料液の噴霧を開始した後に上記第１の噴霧ノズル（42）からの上記原料液の噴霧を開始し、
上記対象物（20）が上記噴霧部（30）から相対的に離れてゆくときには、上記第２の噴霧ノズル（52）からの上記原料液の噴霧を停止した後に上記第１の噴霧ノズル（42）からの上記原料液の噴霧を停止する
ことを特徴とする成膜装置。
【請求項４】
請求項２又は３において、
上記第１の噴霧ノズル（42）の先端の位置と、上記第２の噴霧ノズル（52）の先端の位置とが、上記噴霧部（30）に対する上記対象物（20）の相対的な移動方向にずれている
ことを特徴とする成膜装置。
【請求項５】
請求項１乃至４のいずれか一つにおいて、
上記噴霧部（30）に対する上記対象物（20）の相対的な移動方向における上記第１の噴霧ノズル（42）の先端の後側に配置され、該第１の噴霧ノズル（42）から噴霧される液滴と電位が同極性の第１の偏向用電極（60,61）と、
上記噴霧部（30）に対する上記対象物（20）の相対的な移動方向における上記第２の噴霧ノズル（52）の先端の前側に配置され、該第２の噴霧ノズル（52）から噴霧される液滴と電位が同極性の第２の偏向用電極（60,62）とを備えている
ことを特徴とする成膜装置。
【請求項６】
対象物（20）に原料液を噴霧することによって該対象物（20）の表面に被膜を形成する静電噴霧型の成膜装置であって、
複数の噴霧ノズル（42,52）を有する噴霧部（30）と、
上記原料液が帯電した液滴となって上記噴霧ノズル（42,52）から上記対象物（20）へ噴霧されるように上記噴霧ノズル（42,52）と上記対象物（20）の間に電圧を印加する電圧印加部（70）と、
上記対象物（20）と上記噴霧部（30）の一方を他方に対して相対的に移動させる移動機構（15）とを備え、
上記噴霧部（30）は、
第１の噴霧ノズル（42）と第２の噴霧ノズル（52）とが、上記噴霧部（30）に対する上記対象物（20）の相対的な移動方向と交わる方向に交互に配置され、
上記第１の噴霧ノズル（42）から噴霧された原料液の上記対象物（20）への付着位置と、上記第２の噴霧ノズル（52）から噴霧された原料液の上記対象物（20）への付着位置とが、上記噴霧部（30）に対する上記対象物（20）の相対的な移動方向にずれており、
上記第１の噴霧ノズル（42）の先端の位置と、上記第２の噴霧ノズル（52）の先端の位置とが、上記噴霧部（30）に対する上記対象物（20）の相対的な移動方向にずれる一方、
上記第１の噴霧ノズル（42）と上記第２の噴霧ノズル（52）の間を遮蔽する遮蔽部材（69）を備えている
ことを特徴とする成膜装置。
【請求項７】
請求項６において、
上記遮蔽部材（69）には、該遮蔽部材（69）の電位が上記噴霧ノズル（42,52）から噴霧された液滴の電位と同極性となるように電圧が印加される
ことを特徴とする成膜装置。
【請求項８】
請求項１乃至７のいずれか一つにおいて、
上記噴霧部（30）は、
全ての上記第１の噴霧ノズル（42）に接続して各第１の噴霧ノズル（42）に上記原料液を分配する第１ヘッダ部材（41）と、
全ての上記第２の噴霧ノズル（52）に接続して各第２の噴霧ノズル（52）に上記原料液を分配する第２ヘッダ部材（51）とを備えている
ことを特徴とする成膜装置。
【手続補正３】
【補正対象書類名】図面
【補正対象項目名】図１５
【補正方法】変更
【補正の内容】
【図１５】
2014117690.tif 000022